(57)【特許請求の範囲】
【請求項１】
外物の支持に用いられる保持部及び壁面への貼付に用いられる貼付部からなるメイン貼着部材と、
壁面への貼付に用いられる貼付部を含むバックアップ貼着部材と、
前記メイン貼着部材と前記バックアップ貼着部材との間に設置される交換装置と、警告装置とで構成される安全機構とを備え、
前記警告装置は、前記保持部が前記壁面から脱離されて下に向けて脱落される際に警告情報を発生させることができるものであり、
前記安全機構は、前記メイン貼着部材及び前記バックアップ貼着部材が壁面の近接される位置に貼着され、前記メイン貼着部材が壁面から脱離されて下に向けて脱落される場合、前記バックアップ貼着部材が前記交換装置により前記メイン貼着部材が下に向けて脱落されるのを制止させると共に、前記バックアップ貼着部材に適時交換されて前記保持部の保持を行うことを特徴とする貼付け式壁面保持構造。
【請求項２】
前記安全機構は、前記保持部が前記壁面から脱離されて下に向けて脱落される際に、端正な姿勢を保持させるための案内装置を更に備えることを特徴とする、請求項１に記載の貼付け式壁面保持構造。
【請求項３】
前記安全機構は、前記メイン貼着部材が前記壁面から脱離されて下に向けて脱落される速度を緩めるために用いられ、及び／或いは前記保持部の振動、揺れを減少させるために用いられるバッファ装置を更に備えることを特徴とする、請求項１に記載の貼付け式壁面保持構造。
【請求項４】
前記保持構造は、上部接続箇所及び下部接続箇所を更に備え、
前記上部接続箇所は、前記メイン貼着部材及び前記バックアップ貼着部材の内の何れか一方に設置され、
前記下部接続箇所は、前記メイン貼着部材及び前記バックアップ貼着部材の内の他方に設置され、
前記上部接続箇所は、前記下部接続箇所の上方に位置され、
前記メイン貼着部材が前記壁面から脱落される場合、前記上部接続箇所が前記下部接続箇所に接触され、前記バックアップ貼着部材が前記保持部に接続され、そして、前記バックアップ貼着部材が前記保持部を保持していることを特徴とする、請求項１に記載の貼付け式壁面保持構造。
【請求項５】
前記保持構造は、上部接続箇所、下部接続箇所、及び接続部を更に備え、
前記上部接続箇所は、前記バックアップ貼着部材に設置され、
前記下部接続箇所は、前記メイン貼着部材に設置され、
前記上部接続箇所は、前記下部接続箇所の上方に位置され、
前記接続部は、前記上部接続箇所と前記下部接続箇所との間に位置され、
前記メイン貼着部材が前記壁面から脱落される場合、前記上部接続箇所が前記接続部により前記下部接続箇所に向けて引っ張られ、前記バックアップ貼着部材が前記保持部に接続され、そして、前記バックアップ貼着部材は前記保持部を保持していることを特徴とする、請求項１に記載の貼付け式壁面保持構造。
【請求項６】
前記貼付部は、吸盤、接着剤、ガスケット、粘着テープ、ステッカー、磁石、ホットメルト接着剤、面ファスナーの内の何れか１つであることを特徴とする、請求項１に記載の貼付け式壁面保持構造。
【請求項７】
前記交換装置は、前記メイン貼着部材の前記貼付部と前記バックアップ貼着部材の前記貼付部との間に設置される弾性部または弾性部材、若しくは弾性変形部材を備え、
前記弾性部または弾性部材は、引張力を発生する引張バネ、ねじりバネ、または他のばねが使用され、
前記弾性変形部材は、弾性を有するゴム又はプラスチックの弾性体や接続部材、螺旋ばね、弾力を有する伸縮機構、または湾曲機構が使用され、
前記メイン貼着部材の前記貼付部が前記壁面に貼付される場合、前記弾性部または前記弾性部材、若しくは前記弾性変形部材による弾力は、前記壁面に貼付される前記メイン貼着部材の前記貼付部を介して前記バックアップ貼着部材の前記貼付部を前記壁面に圧接させることを特徴とする、請求項１に記載の貼付け式壁面保持構造。
【請求項８】
前記交換装置は、前記バックアップ貼着部材の前記貼付部及び前記メイン貼着部材の前記保持部の間に接続される弾性部または弾性部材、若しくは弾性変形部材を備え、
前記弾性部または弾性部材は、引張力を発生する引張バネ、ねじりバネ、または他のばねが使用され、
前記弾性変形部材は、弾性を有するゴム又はプラスチックの弾性体や接続部材、螺旋ばね、弾力を有する伸縮機構、及び湾曲機構が使用され、
前記メイン貼着部材の前記貼付部が前記壁面に貼付される場合、前記弾性部または前記弾性部材、若しくは前記弾性変形部材による弾力は、前記壁面に貼付される前記メイン貼着部材の前記貼付部を介して前記メイン貼着部材の前記保持部を経て前記バックアップ貼着部材の前記貼付部を前記壁面に圧接させ、
前記交換装置は、前記保持部に接続される受け点を有し、前記保持構造が壁面に貼付される状態になり、
前記メイン貼着部材の前記貼付部が前記壁面に貼付される場合、前記交換装置の前記受け点が第一位置に位置され、前記メイン貼着部材の前記貼付部が壁面から脱落され、前記交換装置の前記受け点が前記第一位置より低い第二位置に位置されることを特徴とする、請求項１に記載の貼付け式壁面保持構造。
【請求項９】
前記保持構造は、前記メイン貼着部材の前記貼付部と前記バックアップ貼着部材の前記貼付部との間の距離を増加させるための位置変位機構を更に備え、
前記位置変位機構は、前記メイン貼着部材の前記貼付部または前記バックアップ貼着部材の前記貼付部に接続されるように配置され、且つ当接本体と、接続部と、ねじりバネとを備えており、
前記当接本体は、突き当て板と当接フロントエンドとを含むことを特徴とする、請求項１、７または８に記載の貼付け式壁面保持構造。
【請求項１０】
前記メイン貼着部材は、前記接続部に摩擦部材を更に備え、
前記メイン貼着部材の前記接続部は、下に向けて延伸されると共に、前記壁面に接触される前記摩擦部材が設置され、
前記メイン貼着部材が前記壁面に貼付される場合、前記摩擦部材により前記メイン貼着部材が下に向けて脱落されるのが阻止されることを特徴とする、請求項５に記載の貼付け式壁面保持構造。
【発明の詳細な説明】
【技術分野】
【０００１】
本発明は、粘着、貼付、または吸着等の非永続性固定方式により応用表面または壁面に付着固定される保持構造に関し、より詳しくは、支持される外物の脱落を回避させる貼付け式壁面保持構造（adhesion-type holding structure mounted onto a wall）に関する。
【背景技術】
【０００２】
粘着、貼付、または吸着等の付着方式で応用表面または壁面に固定され、物品を保持、載荷、或いは放置させるための形状または構造を有する従来の貼付式壁面支持部材はどれも、その上に置かれる外物が重すぎてその支持能力を超える場合や使用時間が長すぎる場合には脱落してしまい、脱落によって物品が壊れたり、人に当たる等の事故が発生した。前述の支持部材が予期せず脱落するような事態は、昔の消費者や使用者ならば受け入れたかもしれないが、製品に対する安全性の要求が高まっている現代では、時代の変化も相まって、いつ脱落するか分からないような支持部材は現代では需要が無く、すぐに新しいものに替えると共に改善または解決の道を探る必要がある。
【発明の概要】
【発明が解決しようとする課題】
【０００３】
本発明は、このような従来の問題に鑑みてなされたものである。すなわち、本発明は、貼付式壁面支持部上の外物が重すぎてその支持能力を超えたり、使用時間が長すぎて予期せず脱落した場合に、支持部により支持される外物が地面に脱落するのを防止する貼付け式壁面保持構造を提供することを主目的とすることにある。また、使用者が脱落の発生に気付いた際に、その内の１つの貼着部材により正常な貼付状態に適時回復でき、永続性を達成させ、且つ支持される外物の安全性を確保させる。
【０００４】
上述した課題を解決し、目的を達成するために、本発明に係る貼付け式壁面保持構造は、外物の支持に用いられる支持部及び壁面への貼付に用いられる貼付部からなるメイン貼着部材と、壁面への貼付に用いられる貼付部を含むバックアップ貼着部材と、前記メイン貼着部材と前記バックアップ貼着部材との間に設置される交換装置で構成される安全機構とを備え、前記安全機構は、前記メイン貼着部材及び前記バックアップ貼着部材が同時に壁面に貼着されると共に近接される位置に位置され、前記メイン貼着部材が壁面から脱離されて下に向けて脱落される場合、前記バックアップ貼着部材は前記交換装置により前記メイン貼着部材が下に向けて脱落されるのを制止させると共に、前記バックアップ貼着部材に適時交換されて前記支持部の保持を行うことを特徴とする。
【０００５】
請求項１に記載の貼付け式壁面保持構造において、前記安全機構は、前記支持部が壁面から脱離されて下に向けて脱落される際に、端正な姿勢を保持させる案内装置を更に備える。
【０００６】
請求項１に記載の貼付け式壁面保持構造において、前記安全機構は、前記メイン貼着部材が壁面から脱離されて下に向けて脱落される速度を緩めるために用いられ、及び／或いは前記支持部の振動や揺れを減少させるためのバッファ装置を更に備える。
【０００７】
請求項１に記載の貼付け式壁面保持構造において、前記安全機構は、前記支持部が前記壁面から脱離されて下に向けて脱落される際に、警告情報を発生させる警告装置を更に備える。
【０００８】
請求項１に記載の貼付け式壁面保持構造において、前記安全機構は、前記支持部が壁面から脱離されて下に向けて脱落される際に端正な姿勢を保持させる案内装置、及び前記メイン貼着部材が壁面から脱離されて下に向けて脱落される速度を緩めるために用いられ、及び／或いは前記支持部の振動や揺れを減少させるためのバッファ装置を更に備える。前述の貼付け式壁面保持構造において、前記安全機構は、前記支持部が壁面から脱離されて下に向けて脱落される際に端正な姿勢を保持させる案内装置、及び前記支持部が壁面から脱離されて下に向けて脱落される際に、警告情報を発生させる警告装置を更に含む。
【０００９】
請求項１に記載の貼付け式壁面保持構造において、前記安全機構は、前記メイン貼着部材が壁面から脱離されて下に向けて脱落される速度を緩めるために用いられ、及び／或いは前記支持部の振動や揺れを減少させるためのバッファ装置、及び前記支持部が壁面から脱離されて下に向けて脱落される際、警告情報を発生させる警告装置を更に備える。
【００１０】
請求項１に記載の貼付け式壁面保持構造において、前記安全機構は、前記支持部が壁面から脱離されて下に向けて脱落される際に端正な姿勢を保持させる案内装置と、前記メイン貼着部材が壁面から脱離されて下に向けて脱落される速度を緩めるために用いられ、及び／或いは前記支持部の振動や揺れを減少させるためのバッファ装置と、前記支持部が壁面から脱離されて下に向けて脱落される際、警告情報を発生させる警告装置とを更に備える。
【００１１】
請求項１に記載の貼付け式壁面保持構造において、前記メイン貼着部材またはバックアップ貼着部材は前記貼付部に接続される接続部を更に備える。
【００１２】
請求項１に記載の貼付け式壁面保持構造において、前記接続部は、台座、接続バー、可撓性ベルト体、ばね、ソフトワイヤー、チェーン、または接続ロッドである。
【００１３】
請求項１に記載の貼付け式壁面保持構造において、前記メイン貼着部材は前記支持部に接続される接続部を更に備える。
【００１４】
請求項１に記載の貼付け式壁面保持構造において、前記メイン貼着部材及び前記保持部材は非固定式で接続される。
【００１５】
請求項１に記載の貼付け式壁面保持構造において、前記貼付部は、吸盤、接着剤、ガスケット、粘着テープ、ステッカー、磁石、ホットメルト接着剤、または面ファスナーである。
【００１６】
請求項１に記載の貼付け式壁面保持構造において、前記バックアップ貼着部材には、前記メイン貼着部材の貼付位置を提供するメイン貼付物位置が設けられる。
【００１７】
請求項１に記載の貼付け式壁面保持構造において、前記メイン貼付物位置は前記バックアップ貼着部材の貼付部に設けられ、または前記メイン貼付物位置は前記バックアップ貼着部材から外に向けて延出される位置支持部材に設けられる。
【００１８】
請求項１に記載の貼付け式壁面保持構造において、前記支持部は、フック、ラック、フレーム状物品、壁掛け棚、タオル掛け、物入れ容器、物置棚、または壁面取っ手である。
【００１９】
請求項１に記載の貼付け式壁面保持構造において、前記交換装置は、
前記メイン貼着部材に接続される第一接続箇所及び前記バックアップ貼着部材に接続される第二接続箇所を有する接続部材を備える。
【００２０】
請求項１に記載の貼付け式壁面保持構造において、前記接続部材には警告情報が設けられる。
【００２１】
請求項１に記載の貼付け式壁面保持構造において、前述の警告情報は前記メイン貼着部材が壁面に貼付される場合は隠され、且つ前記メイン貼着部材が壁面から脱離された後に露出される。前述の前記第一接続箇所の位置は第二接続箇所の位置より低く、正常な使用状態において、前記接続部材の最大長さは第一接続箇所と第二接続箇所との間の距離より長く、且つ前記接続部材は、可撓性ベルト体、ソフトワイヤー、チェーン、接続ロッド、または伸縮機構である。
【００２２】
請求項１に記載の貼付け式壁面保持構造において、前記交換装置は、
前記メイン貼着部材に接続されると共に第一接続箇所を有する当接部、及び前記バックアップ貼着部材に接続されると共に第二接続箇所を有し、前述の第二接続箇所の位置は第一接続箇所の位置より低い受け部を備える。
【００２３】
請求項１に記載の貼付け式壁面保持構造において、前記受け部は前記メイン貼着部材を受ける収容溝を有する。
【００２４】
請求項１に記載の貼付け式壁面保持構造において、前記案内装置は前記メイン貼着部材及び前記バックアップ貼着部材にそれぞれ設けられる被案内部及び案内部を備える。
【００２５】
請求項１に記載の貼付け式壁面保持構造において、前記被案内部及び前記案内部は互いに被装されると共に対応し合って滑動され、前記案内部は前記バックアップ貼着部材の１つまたは複数の案内壁に設置され、或いは、前記案内部は前記バックアップ貼着部材の案内収納位置及び下に向けて脱落される前記メイン貼着部材を前記案内収納位置に案内させる案内面に設置される。
【００２６】
請求項１に記載の貼付け式壁面保持構造において、前記案内装置は、メイン貼着部材またはバックアップ貼着部材に接続されると共に前記メイン貼着部材の落下経路を制限させるための案内面を備える。
【００２７】
請求項１に記載の貼付け式壁面保持構造において、前記案内装置は案内面を備え、前記案内面は平面の斜面または弧状面である。
【００２８】
請求項１に記載の貼付け式壁面保持構造において、前記バッファ装置は、クッションパッド、ダンプ装置、または摩擦部材である。
【００２９】
請求項１に記載の貼付け式壁面保持構造において、前記クッションパッドは前記メイン貼着部材または前記バックアップ貼着部材に接続される。
【００３０】
請求項１に記載の貼付け式壁面保持構造において、前記警告装置は警告情報が表示される警告情報表示部材であり、前述の警告情報は前記メイン貼着部材が壁面に貼付される場合は隠され、且つ前記メイン貼着部材が壁面から脱離された後に露出される。
【００３１】
請求項１に記載の貼付け式壁面保持構造において、前記警告情報表示部材は前記バックアップ貼着部材に接続され、または前記警告情報表示部材は前記メイン貼着部材に遮蔽される箇所に設置され、前述の警告情報は前記メイン貼着部材が壁面に貼付される場合は隠され、且つ前記メイン貼着部材が壁面から脱離された後に露出される。
【００３２】
請求項１に記載の貼付け式壁面保持構造において、前記警告装置は警告信号を発信させる電子式警報器である。
【００３３】
以上のように、本発明は、バックアップ貼着部材が増設されると共に、安全機構を有する技術方式を提供する。すなわち、この技術方式により実現される構造は、外物の支持に用いられる支持部及び壁面への貼付に用いられる貼付部を有するメイン貼着部材と、壁面への貼付に用いられる貼付部を有するバックアップ貼着部材と、安全機構とを主に備える。
【００３４】
また、本発明の思想概念は、メイン貼着部材及びバックアップ貼着部材が共に壁面に貼着され、且つ支持部（外物の支持に用いられる）及び安全機構（安全な交換に用いられる）が存在し、使用において正常状態ではメイン貼着部材及び支持部が互いに接続されて外物が支持され、メイン貼着部材が脱落されると、前記安全機構が適時交換を行い、バックアップ貼着部材及び支持部が互いに接続されて外物が支持される。周囲の安全を確保するため、安全機構は、（１）交換装置と、（２）案内装置と、（３）バッファ装置と、（４）警告装置とを備える。次に、この４つの装置の作業を説明する。前述の交換装置の作業は、支持部を有するメイン貼着部材が壁面から脱離されて下に向けて脱落される際に、バックアップ貼着部材に適時交換させて前記支持部の保持を行う。前述の“交換”の主な内容は、（１）制止及び（２）接続に更に分けられる。
【００３５】
制止は力学の観点から見れば、抵抵抗力が提供され、下に向けて脱落される衝撃力が相殺され、運動エネルギーが消失されて制止が達成される。制止方式は、“引っ張ることによる制止”及び“止めることによる制止”に更に分けられる（本文の後段に接続式交換装置及び受け式交換装置の力学的観点を説明する）。
【００３６】
力をかける点が違えば、上述の抵抗力は、名称が引張力（引張抵抗力）、阻止力（阻止抵抗力）と変わる。
【００３７】
制止が達成されると、正式に接続が開始され、未接続の場合、メイン貼着部材が正式に使用される。接続中にメイン貼着部材が脱落されると、バックアップ貼着部材が正式に作動される。
【００３８】
“止めることによる制止”が採用される場合、構造上貼着部材または支持部に位置されるメイン第一接続箇所がバックアップ貼着部材に位置される第二接続箇所より高くなり、下方の第二接続箇所及び上方の第一接続箇所が接触されて接続された後、メイン貼着部材または支持部が下に向けて脱落されるのがバックアップ貼着部材により止められて制止される。すなわち、バックアップ貼着部材により支持部が受け止められる。
【００３９】
“引っ張ることによる制止”が採用される場合、接続部材が支持部（メイン貼着部材）とバックアップ貼着部材との間に接続され、接続部材及び支持部（メイン貼着部材）の第一接続箇所がバックアップ貼着部材の第二接続箇所より低くなる。接続部材が緊縮または全伸張される場合、上方のバックアップ貼着部材の第二接続箇所が、接続部材により引っ張られて下方の支持部（メイン貼着部材）の第一接続箇所に接続される。すなわち、バックアップ貼着部材及び支持部が接続され、支持部が下に向けて脱落されるのが引っ張られることにより制止される。前述の案内装置の作業は、支持部が壁面から脱離されて脱落される際に端正な姿勢に保持させる。実施においては、“開放式案内”及び“閉鎖軌跡式案内”に更に分けられる。
【００４０】
開放式案内は、例えば図２３及び図２６の収容溝の開口箇所のラッパ口のように、上方から脱落されて落下してきた当接部を受け止めて、溝内に進入させるように案内させる。なお、例えば、上方から脱落してきた支持部が図３の案内面により受け止められて案内収納位置に進入させる（下方で上面から脱落してきたものが受け止められる）。
【００４１】
閉鎖軌跡式案内は、例えば図２０乃至図２２の（Ｔ型）スライダーのように、（Ｔ型）滑動溝組またはガイドピン、ガイドブッシュ組である（貼付部が脱落を開始してから、バックアップ貼着部材に交換された後、すなわち、交換の全過程において制限されて端正な姿勢に維持される）。実務上、製品によって方式を選択し、例えば、支持部が蓋を有する容器で、支持される外物を脱落しにくくし、開放式案内を採用する、或いは案内装置を設置しない等である。なお、例えば、支持部は物置板であり、支持される外物を脱落しにくくし、閉鎖軌跡式案内を採用してもよい。案内とは、適切な部材に当着され、阻止させることで支持部を端正な姿勢に制限させる制限機能を指し、すなわち、下落変位中及び終点で端正な姿勢に制限される。
【００４２】
上述のように、案内装置の効果は、（１）支持部が下落変位中に支持部の揺れ、歪み、回転が小さくなるように制限され（すなわち、支持部が端正な姿勢で下落）、且つ下落変位が制限される（十分な最小の変位）。（２）支持部が終点まで下落されて支持部が端正な姿勢に保持され、例えば、終点の適切な案内収納位置が設けられる。
【００４３】
前述のバッファ装置の作業は、（１）支持部が下落変位中に安定的に下降される。（２）支持部が終点まで下落されて停止する際に振動や揺れが減少される。実施において、バッファ装置はクッションパッドまたは様々な緩衝機構である。
【００４４】
前述の警告装置の作業は、前記メイン貼着部材及び／或いは支持部が脱落される際に関連する部材の変位により警告情報が露出されて掲示され、使用者に前記メイン貼着部材を交換するか、再度設置する等のメンテナンスを行うように警告し、これにより前記支持部の安全性を確保させる。貼付式壁面支持構造は本来脱落される必然性があり、これに対して、本発明では脱落される際に安全に交換されるほか、更に使用者に警告して処理を促し、使用者による作業を促進させ、本発明構造を不断で適時正常に回復させ、予期せぬ事態が起きぬように永続的に安全を確保させる。
【００４５】
なお、本発明は上述の装置の区分により本発明の思想に基づく幾つかの実施方式を分かりやすく説明し、但し、この区分は決して厳格に限定するものではなく、例えば、交換装置、案内装置、警告装置の部材は共用できる。すなわち、ある部材が同時に交換装置または案内装置等の数種類の装置に属し、或いは、ある部材が同時に交換や警告等の数種類の役割をこなす等の混合運用が行われる。以下では混合運用の例を幾つか挙げて説明する。
【００４６】
さらに、本発明に係る貼付け式壁面保持構造は、そのメイン貼着部材及び支持部、またはメイン貼着部材及びバックアップ貼着部材が非固定式で接続される（例えば、重ね接続、掛け接続）。前記メイン貼着部材が壁面から脱離される場合、前記メイン貼着部材及び支持部またはバックアップ貼着部材が分離されて地面に脱落され、交換装置によりバックアップ貼着部材に適時交換させて前記支持部を支持させることで、支持部が地面に脱落されるのを制止させる。前記メイン貼着部材が地面に脱落されるのを警告する作用を有し、使用者にメンテナンスを行うように提示することで、メイン貼着部材により支持部が支持される正常な使用状態を回復させる。
【００４７】
本発明における前述の交換装置の“交換”の２つの状況がある。１つ目の状況は、前記バックアップ貼着部材が本来正式に作動されず、“交換”の際に（前記メイン貼着部材が脱落される際）正式に使用される。他の１つの状況は、前記バックアップ貼着部材が最初から正式に作動され、“交換”の際に（前記メイン貼着部材が脱落される際）継続して正式に使用されるほか、前記メイン貼着部材の作業を引き継ぐ（外物の保持）。但し、上述の後者の状況を具体的に実現させるには、前記バックアップ貼着部材の貼着寿命が前記メイン貼着部材の貼着寿命より長い必要がある。
【００４８】
前述の正式な作動は、前記メイン貼着部材及び前記支持部が接続されて互いに拘束されて制限され、前記メイン貼着部材により前記支持部が支持されることにより、脱落の行程が正式に進行する（メイン貼着部材が壁面に貼付されて非永続的に固定され、支持部及び外物が支持されて受力され、時間が延びるに連れて脱落に向かう過程が、本発明においては脱落の行程と呼ばれ、脱落の全行程の時間の長さが貼着寿命となる）。
【００４９】
前述の正式な作動は、前記バックアップ貼着部材及び前記支持部が接続されて互いに拘束されて制限され、前記バックアップ貼着部材により前記支持部が支持され、脱落行程が正式に進行することをいう。
【００５０】
正式に作動していないならば、これに関係し、前記支持部が受けた外力（支持される外物からの外力）が前記バックアップ貼着部材に伝達されず、前記支持部及び前記バックアップ貼着部材が互いに干渉しない。この際、前記支持部及び前記バックアップ貼着部材は相互に接続されるが互いに干渉しない（例えば、緊縮または緩められた接続部材が互いに接続される）。
【００５１】
バックアップ貼着部材は、接着剤、ガスケット、粘着テープ、ステッカー、磁石、ホットメルト接着剤、または面ファスナー等であり、壁面に粘着、貼付、または吸着される等の付着力を有する材料が貼付部として用いられて壁面に固定され、不使用の場合は長期間脱落しない。メイン貼着部材が使用されると徐々に脱落されてゆき、メイン貼着部材が脱落された後にバックアップ貼着部材の貼着寿命が正式に使用を開始し、それから徐々に脱落に向かい始めるため、脱落しないように安全性が十分に確保される。
【００５２】
ここで前述の交換装置の“止めることによる制止”について更に説明する。止めることによる制止は、メイン貼着部材（または支持部）に設けられる第一接続箇所の位置が高い箇所に設けられて（メイン貼着部材または支持部は必ずしも高い箇所にある必要はないが、第一接続箇所は高い箇所にある必要がある）メイン貼着部材（保持部）が使用状態になり、バックアップ貼着部材が正式に使用されていない場合、両者は力が伝達されていない、正式に受けない（引っ張ることによる制止に相当する接続）位置になり、この際には互いに拘束されず、すなわち、両者が分かれて、正式に受ける効果が未作動になる。メイン貼着部材（保持部）が下に向けて脱落されてバックアップ貼着部材が壁面に貼着され、第一接続箇所の位置が下降され、下降の許容限度に達すると、下方に設けられるバックアップ貼着部材に属する第二接続箇所に接触され、前記第二接続箇所が当接されて第一接続箇所の下降が制止され、メイン貼着部材（支持部）の下に向けての脱落が停止され、本来メイン貼着部材に支持される支持部が、この２つの接続箇所を経て伝達されて実際にバックアップ貼着部材により支持される。ここでは、メイン貼着部材（保持部）と呼ばれる第一接続箇所は、メイン貼着部材（保持部）の然るべき部分であり、メイン貼着部材（保持部）に接続される位置の然るべき部材でもよい。バックアップ貼着部材の第二接続箇所は、バックアップ貼着部材の然るべき部分であり、バックアップ貼着部材に接続される位置の然るべき部材でもよい。前記第二接続箇所の位置は、前記第一接続箇所の位置より低い。
【００５３】
前述の交換装置の“引っ張ることによる制止”について、メイン貼着部材（支持部）とバックアップ貼着部材との間は適切な接続部材により互いに接続され、この接続部材は、湾曲性または曲折性を有する（例えば、チェーン、接続ベルト、柔軟材料、擺動（揺動）する関節を有する接続ロッド等）適切な伸縮機構でもよく、例えば、適切な最大伸長距離が限定される伸縮ロッドまたは伸縮効果を有する接続ロッドである。本来、メイン貼着部材及びバックアップ貼着部材が壁面に貼着され、開始において、ここでの接続部材の長さとは、メイン貼着部材（支持部）とバックアップ貼着部材の接続箇所との間より長い距離のことを指し、このため、弛緩または曲折を呈する引っ張られない状態になり、力が伝達されず、その両端の保持部（メイン貼着部材）及びバックアップ貼着部材は互いに干渉せず、正式に接続効果が作動されない。精確に言えば、開始において、メイン貼着部材及びバックアップ貼着部材が共に壁面に貼着され、前記接続部材は、メイン貼着部材（保持部）に接続される交接点からバックアップ貼着部材に接続される交接点までの長さが、メイン貼着部材（保持部）の接続部材に接続される交接点からバックアップ貼着部材の接続部材に接続される交接点までの間の距離より長い。バックアップ貼着部材の接続部材に接続される接続箇所（第二接続箇所）の位置は、メイン貼着部材（保持部）の接続部材に接続される接続箇所（第一接続箇所）の位置より高い。初期には、メイン貼着部材が使用状態にあり（支持部がメイン貼着部材に接続されて一緒になることでメイン貼着部材により保持され、支持部が使用状態にあると、メイン貼着部材が使用状態になる）、バックアップ貼着部材が近辺に貼着されて未使用であれば、この際にメイン貼着部材（保持部）とバックアップ貼着部材との間が接続されて、力が伝達される効果が正式には作動されない。正式に接続されても未作動の場合、支持部が受けた外力がバックアップ貼着部材に伝達されない。保持部が脱落されてバックアップ貼着部材が脱落されていない場合、メイン貼着部材（支持部）が下に向けて脱落され、メイン貼着部材（保持部）の接続部材に接続される接続箇所（第一接続箇所）の位置が下降される。下降の許容限度に達すると、本来湾曲されて引っ張られていない、或いは曲折され真っ直ぐではない接続部材が引っ張られて緊縮される（例えば、図４及び図５の接続部材が引っ張られて緊縮され、図８の箱カバー及び接続部材は本来は図７の曲折関係を呈し、但し、図８では開かれる。なお、例えば、図１３の接続ロッドが引っ張られる）引張力がバックアップ貼着部材の接続部材に接続される接続箇所（第二接続箇所）から接続部材を経てメイン貼着部材（支持部）の接続箇所（第一接続箇所）に伝達されてメイン貼着部材に伝達され、メイン貼着部材（支持部）の下に向けての脱落が引っ張ることにより制止される。この際、正式に接続される（止めることによる制止に相当する受け止め）効果が作動される。受力の状況について言えば、保持部が受ける外力が前記接続部材を経て引張力形態でバックアップ貼着部材に伝達され、バックアップ貼着部材がメイン貼着部材の作業に代わって外力を負担する。
【００５４】
本発明に係る貼付け式壁面保持構造は正常に使用される場合に、前記バックアップ貼着部材が作動されないのは（または、外力の一部を受けても正式に作動されない）、主に前記メイン貼着部材により前記支持部が支持されることで外物が支持されるためである。前記メイン貼着部材が壁面から脱落されて下落される場合、前記交換装置により継続的に下に向けて脱落されるのが制止され、前記バックアップ貼着部材及び前記支持部が適時互いに拘束されて接続され／受け止められ、前記保持部が支持される。
【００５５】
支持部（メイン貼着部材）が脱落を開始させて接続を達成させると、構造上、落下行程が適切な最短距離に設計されることにより、衝撃力、振動、及び揺れの発生が極力減少され、接続が達成されても支持される外物が脱落されない。
【００５６】
案内装置は、保持部が下落変位中に、その案内機能により、支持部の揺れ、歪み、及び回転が制限され、且つ支持部を端正な姿勢にさせる。
【００５７】
“案内”とは、適切な部材の当着や阻止により保持部を端正な姿勢に制限させる制限機能のことである。すなわち、下落変位中に端正な姿勢が保持されるように制限されること、及び終点まで下落された際に端正な姿勢に制限されることであり、“制限”方式は以下の点を含む。
１．前記支持部が脱落を開始させて壁面からの脱離が不完全な段階では、前記バックアップ貼着部材に直接的或いは間接的に互いに接続される部材（例えば、図１乃至図３において、メイン貼着部材の両側の案内壁、または各図における（Ｔ型）スライダー４４、（Ｔ型）滑動溝４５が互いに組み合わせられて接触される側面）の相互の当接または制限により、前記支持部の歪んだ回転が阻止される。
２．前記支持部の下落行程の後段では、前記バックアップ貼着部材に直接的或いは間接的に接続される部材が前記保持部（或いは、支持部に接続される部材）に相互に当接されて制限され、前記支持部を端正な姿勢にさせるか、壁面に向かわせる。例えば、各図の案内面４３、或いは案内収納位置４２に向かわせる。
３．全下落行程において適切な少しの制限が加えられる（例えば、図１２及び図１３の接続ロッド組の接続部材による僅かな”回転”の制限）。
【００５８】
案内装置により、保持部が支持させる外物が支持部から脱落されないようになり、その効果は更に、メイン貼着部材が許容可能な揺れの中で壁面に接触されるか、貼着されて壁面に暫定的に貼付され、メイン貼着部材が支持部を支持させる効果が一部分暫定的に回復される。
【００５９】
案内装置は、“開放式案内”及び“閉鎖式案内”に分けられ、交換装置とある部材とが適切に共用される。すなわち、前述のこれらの部材は、脱落制止及び交換効果を有し、案内効果も有する。案内装置により、保持部が案内され、支持される外物が支持部から脱落される事態が防止される。案内面について、前記案内装置は、メイン貼着部材またはバックアップ貼着部材に接続される案内面を備える（案内面が支持部に接続されるか、または他の部分がメイン貼着部材の部材に接続されても、前述のこれらの部材がメイン貼着部材に接続されるため、メイン貼着部材に接続されていると言える。同様に、案内面はバックアップ貼着部材に互いに接続される他の部材に接続される）。その特徴は、前記案内面が下向きになり、或いは下に向けて傾斜される平面または弧状面が、メイン貼着部材が下に向けて脱落される経路の側面の四方に位置され、前記案内面により前記メイン貼着部材の側方向が包囲されることにより、メイン貼着部材の経路範囲が阻止されて制限されるか、或いはメイン貼着部材の歪みが阻止される。また、前述の案内面は下向きになって壁面に向けて傾斜される平面または弧状面であり、下に向けて脱落されるメイン貼着部材が壁面に向けて変位される。
【００６０】
案内装置の閉鎖式案内について、（Ｔ型）スライダー、（Ｔ型）滑動溝、または同じ効果を有するガイドピン、ガイドブッシュ等の案内用構造により、支持部が下に向けて脱落されて変位される際に、その軌跡が適切な範囲内に収まり、且つ端正な姿勢に保持され、支持される外物が支持部から脱落されなくなる。
【００６１】
案内装置の開放式案内について、ある支持部及び支持される外物が重力により脱落される場合、その回転、歪み量、及び下に向けて変位される軌跡が本来は１つの小さな範囲内に入る。例えば、単一の貼付部により保持される小さな書棚やラック等は、案内装置の案内機能により、保持部が下に向けて脱落される運動に対して適切な少しの制限が加えられる（下に向けて移動される行程の中段部分では制限されない）。
【００６２】
支持部が下に向けて脱落されて終点に達すると、端正な姿勢を呈して支持される外物の脱落が減少される。ここでは、本発明に係る案内装置は案内収納位置部材を備え、その特徴は、前記案内収納位置はメイン貼着部材が下に向けて脱落される経路の終止箇所で、メイン貼着部材の一部またはメイン貼着部材に互いに接続される物品の一部に適切に組み合わせられ、前記メイン貼着部材の一部またはメイン貼着部材に互いに接続される物品の一部が前記案内収納位置に落着されると、メイン貼着部材が端正な姿勢になる。
【００６３】
さらに、前記メイン貼着部材の一部またはメイン貼着部材に互いに接続される物品の一部が、案内収納位置にスムーズに進入されるようにするため、案内収納位置の入口箇所には案内面が設けられる。その特徴は、前記案内面は平面の斜面または弧状面であり、前記メイン貼着部材の一部またはメイン貼着部材に互いに接続される物品の一部が下に向けて脱落されて前記案内面に接触されると、前記案内収納位置に滑り入れられる。
【００６４】
前述のバッファ装置は、交換装置により下落が制止される際に、または終点まで下落される際に緩衝を提供して、振動や揺れを減少させる。交換装置により、保持部の下に向けての脱落が制止される場合、振動または揺れが生じ、支持される外物が脱落される。このような事態の発生を回避させるため、安全機構はバッファ装置を有し、適切なクッションパッドまたは緩衝機構により支持部の振動や揺れが打ち消される。前記クッションパッドは振動を吸収させるパッド構造であり（例えば、スポンジまたは多くの振動吸収ユニットを有する様々なパッド）、その特徴は、前記メイン貼着部材が下に向けて脱落されて終点に達すると、前記クッションパッドが前記バックアップ貼着部材に互いに接続され、且つ前記メイン貼着部材に互いに接続されて相互に接触される接触箇所の間に挟まれる。また、緩衝機構は適用可能な各種のダンプ装置でもよく、例えば、ダンプ装置は回転式ダンプ装置でもよく、メイン貼着部材が下に向けて脱落される速度が緩められ、保持部の振動または揺れが打ち消される効果が達成される。
【００６５】
前述の警告装置は、前記メイン貼着部材及び／或いは保持部が脱落される場合に関係する部材の変位により、警告情報が露出されて掲示され、使用者に前記メイン貼着部材や貼付部の交換や、再度の設置等のメンテナンスを促し、これにより前記支持部の安全性が確保され、支持される外物が脱落されないようにする。実施においては、警告装置は、脱落される場合に関係する部材が変位されることで、警告情報が発生されるか提供される。その提供方式は、予め設置されて本来遮蔽されて隠されている警告符号、警告文、または説明文の警告標識が変位により露出される。或いは、故障や問題の発生等の警告状態が変位により表示される。もしくは、発生した問題が明確に露出される。実施において、前述の警告装置の警告態様は、例えば暫定的な使用停止状態を表し（図１９に示す吸盤の脱落状態）、これは適切な接続部材または接続ベルトやばねが採用され、前記メイン貼着部材が壁面から脱離される際に引っ張られることにより、発見しやすい場所に落とされるか、或いは、前記支持部の使用に対して邪魔になる場所に落とされ、暫定的な使用停止状態を表す。
【００６６】
警告装置は電子式警報器でもよく、前記電子式警報器は、電子回路と、電子回路のスイッチと、警告情報を発生させる表示器とを備える。電子回路のスイッチは、タッチ式、光電式等の適切な回路のスイッチであり、受け式交換装置の第一接続箇所または第二接続箇所に設置されるか、或いは接続式交換装置の接続部材の第一接続箇所または第二接続箇所に設置され、もしくはメイン貼着部材、保持部、またはバックアップ貼着部材の適切な位置に設置される。メイン貼着部材が脱落されることにより、位置が移動されて前記電子回路のスイッチが起動される。前記表示器、は警告音を発生させるスピーカーやブザー等の音響発生器、または発光や閃光を発生させる発光装置であり、本発明の壁面保持構造の近接される箇所に設置されるか、使用者が察知しやすい適切な位置に設置される。
【００６７】
本案は４種類の装置に区分して、本発明の構造の技術思想を説明するが、但し、実務上、各装置、部材、及び構造の然るべき部位の効果は運用上部分的に混合される。例を挙げて説明すると、図４の接続部材は、交換装置でもあり、警告装置でもある。
【００６８】
図６乃至図９の警告標語巻き取りボックスは、警告装置に属し、交換装置及びバッファ装置にも属する。
【００６９】
図１２及び図１３の複数の接続ロッド体が枢接されて接続ロッド式接続部材となるものも、交換装置であり、案内装置にも属する。
【００７０】
図１９の脱落される吸盤はメイン貼着部材の貼付部であり、警告装置でもあり（吸盤の吸着面が赤色の警告色となる）、脱落されると警告効果を発揮させる。
【００７１】
図２０及び図２１の収容溝は一部分が案内装置に属し、一部分が交換装置に属し、一部分がバッファ装置に属する。
【００７２】
更に詳しくは、本発明にはメイン貼着部材が設置される以外に、バックアップ貼着部材が更に設置され、前記メイン貼着部材が失効して脱落される場合に、前記バックアップ貼着部材が代わって作業を行って、前記支持部を支持させる。そのほか、更には、前記メイン貼着部材の脱落により使用者に警告を発して、使用者に前記メイン貼着部材を再度貼着させるように促すことにより（バックアップ貼着部材が単独で支持部を支持させ、十分な長さの安全期間を有するため、安全期間中に使用者が前記メイン貼着部材の脱落を発見して、貼付部を交換させたり、再度設置させる等のメンテナンス作業を行えるようにする）、正常な使用状態を回復させる。このように、使用者の力を借りて、“脱落しない状態の永続的な確保”という予期する目標を達成させる。
【００７３】
また、実際の応用において、前記メイン貼着部材は簡略化でき、支持部が貼付部に互いに直接接続される。例えば、貼付部が吸盤であり、保持部は吸盤に接続されるか、或いは吸盤から直接延出されるフレーム体または物入れ容器である。前記フレーム体または物入れ容器は、貼付部（すなわち、吸盤）により直接保持される。なお、例えば、貼付部は、両面に接着剤を有する板状物であり、その一面が壁面に貼付され、他面がフレーム体、またはフレーム状物品に直接粘着され、前記フレーム体またはフレーム状物品が両面の接着剤を有する板状物により直接支持される。
【００７４】
実際の応用において、前記バックアップ貼着部材も簡略化でき、バックアップ貼付部が形成されて、前述の交換装置に互いに直接接続される。例えば、バックアップ貼付部が吸盤であり、交換装置に属する収容溝に互いに直接接続され、メイン貼着部材の貼付部が壁面から脱落されると、前記収容溝により脱落された支持部が受け止められ、すなわち、吸盤（バックアップ貼着部材の貼付部）により支持部が支持される。または、バックアップ貼着部材の貼付部が吸盤であり、交換装置に属する接続部材に互いに直接接続され、メイン貼着部材の貼付部が壁面から脱落されると、 前記接続部材により保持部が引っ張られ、すなわち、吸盤（バックアップ貼着部材の貼付部）により支持部が支持される。
【図面の簡単な説明】
【００７５】
【図１】本発明の第１実施形態による貼付け式壁面保持構造を示す正面図である。
【図２】図１に示すＡ−Ａ箇所を示す断面図である。
【図３】図２に示すメイン貼着部材が壁面から脱離された時の概略図である。
【図４】図２に示すメイン貼着部材が壁面から脱離されて警告メッセージを表示する概略図である。
【図５】図４に示すＢ−Ｂ箇所を示す断面図である。
【図６】本発明の第２実施形態による貼付け式壁面保持構造を示す正面図である。
【図７】図６に示すＣ−Ｃ箇所を示す断面図である。
【図８】図７に示すメイン貼着部材が壁面から脱離されて警告メッセージを表示する概略図である。
【図９】図６に示す蓋箱が開かれて警告メッセージを露出した後を示す一部の拡大図である。
【図１０】図６に示す第２実施形態の構造によって一部の変化を行った概略図である。
【図１１】図１０に示す構造の側面図である。
【図１２】本発明の第３実施形態による貼付け式壁面保持構造を示す側面図である。
【図１３】図１２に示すメイン貼着部材が壁面から脱離されて警告メッセージを露出する概略図である。
【図１４】図１３に示す構造を示す正面図である。
【図１５】本発明の第４実施形態による貼付け式壁面保持構造を示す正面図である。
【図１６】図１５に示すＤ−Ｄ箇所を示す断面図である。
【図１７】図１５に示すＥ−Ｅ箇所を示す断面図である。
【図１８】図１６に示すメイン貼着部材が壁面から脱離された時の概略図である。
【図１９】図１６に示すメイン貼着部材が壁面から脱離された時の概略図である。
【図２０】図１５に示す第４実施形態の構造によって一部の変化を行った概略図である。
【図２１】図２０に示すＦ−Ｆ箇所を示す断面図である。
【図２２】図２０に示すＧ−Ｇ箇所を示す断面図である。
【図２３】本発明の第５実施形態による貼付け式壁面保持構造を示す正面図である。
【図２４】図２３に示すＨ−Ｈ箇所を示す断面図である。
【図２５】図２３に示すＩ−Ｉ箇所を示す断面図である。
【図２６】図２４に示すメイン貼着部材が始めに壁面から脱離された時の概略図である。
【図２７】図２４に示すメイン貼着部材が壁面から終点まで脱離された概略図である。
【図２８】本発明の第６実施形態による貼付け式壁面保持構造を示す正面図である。
【図２９】図２８に示すＪ−Ｊ箇所を示す断面図である。
【図３０】図２９に示すメイン貼着部材が始めに壁面から脱離された時の概略図である。
【図３１】本発明の第７実施形態による貼付け式壁面保持構造を示す正面図である。
【図３２】図３１に示す保持構造がＫ−Ｋ線に沿ってなる断面図である。
【図３３】図３１に示す保持構造がＫ１−Ｋ１線に沿ってなる断面図であり、上端のシールのＴ型滑動溝がＴ型スライダーで上下に移動させる図を示す。
【図３４】本発明の第８実施形態による貼付け式壁面保持構造を示す正面図である。
【図３５】図３４に示す保持構造がＬ−Ｌ線に沿ってなる断面図である。
【図３６】図３４に示す保持構造がＬ１−Ｌ１線に沿ってなる断面図である。
【図３７】本発明の第９実施形態による貼付け式壁面保持構造を示す正面図である。
【図３８】図３７に示す保持構造がＭ−Ｍ線に沿ってなる断面図である。
【図３９】図３７に示すメイン貼着部材が始めに壁面から脱離された時の概略図である。
【図４０】図３７に示すメイン貼着部材が壁面から脱離されて終点まで落下した一部の概略図である。
【図４１Ａ】本発明の第１０実施形態による貼付け式壁面保持構造を示す正面図である。
【図４１Ｂ】図４１Ａに示す第１０実施形態による貼付け式壁面保持構造を示す上部の拡大図である。
【図４２】図４１Ａに示す保持構造がＱ−Ｑ線に沿ってなる断面図である。
【図４３】図４１Ａに示すメイン貼着部材が壁面から脱離された一部の概略図である。
【図４４】本発明の第１１実施形態による貼付け式壁面保持構造を示す側面図である。
【図４５】図４４に示す保持構造が正常に使用される時の概略図である。
【図４６】図４５に示すメイン貼着部材が始めに壁面から脱離された時の概略図である。
【図４７】本発明の第１２実施形態による貼付け式壁面保持構造を示す正面図である。
【図４８】図４７に示す保持構造がＲ−Ｒ線に沿ってなる断面図である。
【図４９】図４７に示す保持構造が始めに使用される時の概略図である。
【図５０】図４７に示すメイン貼着部材が始めに壁面から脱離された時の概略図である。
【図５１】図４７に示すメイン貼着部材が壁面から脱離された概略図である。
【図５２】本発明の第１３実施形態による貼付け式壁面保持構造を示す正面図である。
【図５３】図５２に示す保持構造の断面図である。
【発明を実施するための形態】
【００７６】
以下に図面を参照して、本発明を実施するための形態について、詳細に説明する。なお、本発明は、以下に説明する実施形態に限定されるものではない。
【００７７】
なお、前述の思想概念に基づき、先ず６つの具体的な実施形態の説明を行う。６つの実施形態においては多くの共通部分が存在し、多くの技術的、効果的に同じ部分があり、但し、異なる構造が採用されて実施される部分もあり、先に共通部分について以下に詳述する。各実施形態の図に示すように、前記貼付け式壁面保持構造は、外物の支持に用いられる支持部１０及び壁面Ｗへの貼付に用いられる貼付部１１からなるメイン貼着部材１と、壁面Ｗへの貼付に用いられる貼付部２１を含むバックアップ貼着部材２と、メイン貼着部材１とバックアップ貼着部材２との間に設置される交換装置３で構成される安全機構とを備える。このような構成により、メイン貼着部材１及びバックアップ貼着部材２が同時に壁面Ｗに貼着されると共に、近接される位置に位置される。メイン貼着部材１が壁面Ｗから脱離されて下に向けて脱落される場合、バックアップ貼着部材２は、交換装置３によりメイン貼着部材１が下に向けて脱落されるのを制止させると共に、バックアップ貼着部材２に適時交換されて保持部１０の保持を行う。
【００７８】
また、以下で述べる各実施形態において、メイン貼着部材１及びバックアップ貼着部材２と命名されている。しかしながら、この命名方式は解説しやすくするためであり、前述の名称によってメイン貼着部材１及びバックアップ貼着部材２の機能及び作用や構造を制限するものではない。ちなみに、メイン貼着部材１及びバックアップ貼着部材２は第一貼着部材及び第二貼着部材と見做すことができ、すなわち、両者は同じまたは異なる構造を有する貼着部材により実施され、且つ命名方式による制限は受けない。
【００７９】
メイン貼着部材１及び保持部１０は、固定式接続または非固定式接続になる（例えば、重ね接続または掛け接続）。前述のメイン貼着部材１は、支持部１０及び貼付部１１に接続される接続部１２を更に備える。接続部１２は、制限するわけではないが、台座、接続バー、可撓性ベルト体、ばね、ソフトワイヤー、チェーン、または接続ロッド等である。
【００８０】
前述の保持部１０は、外物を保持、載荷、または放置させる形状または構造を有する。実施において、保持部１０は、制限するわけではないが、フック、ラック、壁掛け棚、フレーム状物品、タオル掛け、物入れ容器、物置棚、または壁面取っ手等である。
【００８１】
前述のバックアップ貼着部材２は、貼付部２１に接続される接続部２２を更に備える。接続部２２は、制限するわけではないが、台座、接続バー、可撓性ベルト体、ばね、ソフトワイヤー、チェーンまたは、接続ロッド等である。
【００８２】
また、前述の貼付部１１及び貼付部２１は、壁面Ｗに対する粘着、貼付、または吸着等の付着力を有する貼付物を指す。実施において、貼付部１１及び貼付部２１は、制限するわけではないが、吸盤、接着剤、ガスケット、粘着テープ、ステッカー、磁石、ホットメルト接着剤、面ファスナー等である。
【００８３】
本発明のメイン貼着部材１には、保持部１０が接続され、保持部１０により外物が支持される。但し、メイン貼着部材１が壁面Ｗから脱落される場合、これに互いに接続される支持部１０も脱落してしまう事故を回避させるために、バックアップ貼着部材２が更に設置され、且つメイン貼着部材１とバックアップ貼着部材２との間には、交換装置３を備える安全機構が設置される。バックアップ貼着部材２は、メイン貼着部材１が壁面Ｗに正常に貼着される場合、予備として未使用の役割を果たし、直接使用されるメイン貼着部材１に近接される位置に付随して貼付される。前述の近接される位置とは、メイン貼着部材１の左側、右側、上方、下方等の周囲の位置を指し、接続されて一周取り囲んで、メイン貼着部材１が包囲されてもよい。これにより、メイン貼着部材１が使用過程において、不注意により貼付部１１が壁面Ｗから脱離されることで下に向けて脱落される場合、バックアップ貼着部材２がすなわち、バックアップサポートの役割を果たし、メイン貼着部材１に代わって支持部１０の支持作業を実行する。
【００８４】
バックアップ貼着部材２がメイン貼着部材１に代わる過程において、交換装置３は、メイン貼着部材１及び支持部１０が下に向けて脱落される事態を制止させる役割を確実に達成させる。実施において、安全機構は、支持部１０が壁面Ｗから脱離されて下に向けて脱落される場合に、端正な姿勢に保持させるための案内装置４を更に備える。保持部１０が端正な姿勢に維持され、或いは下落軌跡を短くさせるか、揺れが減少されて、支持される外物が脱落される事態が回避される。また、安全機構は、メイン貼着部材１が壁面Ｗから脱離されて下に向けて脱落される速度を緩めるために用いられ、及び／或いは保持部１０の振動や揺れを減少させるためのバッファ装置５、及び保持部１０がメイン貼着部材１が壁面Ｗから脱離されるのに連れて下に向けて脱落される場合、警告情報を発生させる警告装置６を更に含む。警告装置６は、使用者に警告を発して正常な状態に回復させ、メイン貼着部材１により支持部１０が支持される正常な使用状態を回復させる。
【００８５】
支持部１０及びメイン貼着部材１が互いに接続されることにより、バックアップ貼着部材２は、メイン貼着部材１を制止させるのみならず、同時に支持部１０が下に向けて脱落されるのも制止させる。交換装置３は、バックアップ貼着部材２の延伸物及びメイン貼着部材１（または支持部１０）の延伸物で構成されると見做せる。また、前述の各接続構造の接続方式は、固定式接続に限定されず、分解可能な接続方式が採用されてもよく、すなわち、各接続構造の分解や組み立てができる。
【００８６】
実施において、前述の交換装置３は、“受け式交換装置”（第４実施形態、第５実施形態、及び第６実施形態に示す）または“接続式交換装置”（第２実施形態及び第３実施形態に示す）に分けられる。実施では、受け式交換装置及び接続式交換装置を同時に有する。
【００８７】
前述の受け式交換装置は、メイン貼着部材１に接続されると共に第一接続箇所３１１を有する当接部３１、及びバックアップ貼着部材２に接続されると共に第二接続箇所３２１を有する受け部３２を備える。受け式交換装置が採用される場合、メイン貼着部材１の位置が往々にしてバックアップ貼着部材２より高くなり、まれにバックアップ貼着部材２がメイン貼着部材１より高くなる（例えば、第６実施形態）。但し、第二接続箇所３２１の位置は、須らく第一接続箇所３１１の位置より低くなる。
【００８８】
前述の接続式交換装置は接続部材３３を備え、接続部材３３は、メイン貼着部材１に接続される第一接続箇所３３１、及びバックアップ貼着部材２に接続される第二接続箇所３３２を有する。
【００８９】
実施において、前述の案内装置４は、メイン貼着部材及びバックアップ貼着部材にそれぞれ設けられる被案内部及び案内部を備える。被案内部及び案内部は互いに被装し合うと共に対応し合って滑動される構造でもよい。また、案内部は、メイン貼着部材１またはバックアップ貼着部材２に設置されると共にメイン貼着部材１（支持部１０）の落下経路に対する制限を行う１つまたは複数の案内壁４１または案内面でもよい（例えば、平面の斜面または弧状面）。或いは、バックアップ貼着部材２に設置される案内収納位置４２及び下に向けて脱落されるメイン貼着部材１を案内させて案内収納位置４２に到達させる案内面４３でもよい（例えば、平面の斜面または弧状面）。前述の案内収納位置４２は、被案内部または当接部３１が下に向けて脱落される行程の終点に位置されて（必ずしも案内部の下端に位置されるわけではなく、図１５を参照すると、制止板３１３の下の当接部３１は受け部３２の上方の案内収納位置４２に落着される）、被案内部、当接部３１、または（Ｔ型）スライダー４４が終点まで下降される場合、案内面４３により案内され、（下端）が丁度いい大きさの案内収納位置４２に落着されて係合される。案内収納位置４２が端正な姿勢になることで被案内部、当接部３１、または（Ｔ型）スライダー４４が端正な姿勢になり、すなわち、支持部１０が端正な姿勢になる。
【００９０】
実施において、前述のバッファ装置５は、制限するわけではないが、クッションパッド５１、ダンプ装置５２、または摩擦部材５３である。実施においては、クッションパッド５１が採用されてバッファ装置５となると、クッションパッド５１がメイン貼着部材１またはバックアップ貼着部材２に接続される。
【００９１】
バックアップ貼着部材２がメイン貼着部材１に代わって支持部１０の支持を行う臨時の措置において、前述の警告装置６は、メイン貼着部材１及び保持部１０が壁面Ｗから脱離されて下に向けて脱落される場合に、警告情報を発生させ、使用者に警告を発して回復させることで、メイン貼着部材１により保持部１０が保持される正常な使用状態に回復させる。実施において、前述の警告装置６は警告情報６０が表示される警告情報表示部材６１であり、前述の警告情報６０はメイン貼着部材１が壁面Ｗに貼付される場合は隠され、且つメイン貼着部材１が壁面Ｗから脱離された後に露出される。実施において、警告情報表示部材６１は、バックアップ貼着部材２に接続され、或いはメイン貼着部材１により遮蔽される位置に設置される。また、警告装置６は警告信号を発信させる電子式警報器でもよい。
【００９２】
以下では、各実施形態の構造に図式を組み合わせて更に具体的に説明する。図１乃至図５に示すように、本発明に係る貼付け式壁面保持構造の第１実施形態の構造は、本実施形態の図式において、支持部１０はフックであり、メイン貼着部材１の貼付部１１は粘着テープである。バックアップ貼着部材２は薄板またはカバーであり、バックアップ貼着部材２の貼付部２１は粘着テープである。
【実施例】
【００９３】
（第１実施形態）
本実施形態では、前述のバックアップ貼着部材２にはメイン貼着部材１の貼付位置を提供するためのメイン貼付物位置ｐが設けられ、メイン貼付物位置ｐはバックアップ貼着部材２の側辺の切り欠きであり、或いはバックアップ貼着部材２（または貼付物２１）の閉鎖孔である。本実施形態では、図示するメイン貼付物位置ｐはバックアップ貼着部材２の中央部の１つの閉鎖孔に位置され、メイン貼着部材１がメイン貼付物位置ｐに収納されると共に壁面Ｗに貼付される。実施において、前述のメイン貼付物位置ｐは、バックアップ貼着部材２から外に向けて延出される位置支持部材（図示せず）に設置されてもよく、すなわち、位置支持部材によりメイン貼着部材１（または貼付部１１）の貼付位置が提供及び指示される。また、位置支持部材は、メイン貼着部材１または貼付部１１が丁度よく収納される閉鎖孔または閉鎖されない半孔（部分的孔）或いはフレームでもよく、メイン貼着部材１または貼付部１１の正確な位置が収納される位置決め辺でもよい。メイン貼着部材１または貼付部１１は、位置決め辺に近接されて貼付（または吸着等）された後に、正確な位置に位置される。位置支持部材は、適切な指示形状を有する部材でもよく、メイン貼着部材１または貼付部１１の位置の指示に用いられる。上述の位置は図１に示すようなものではなく、バックアップ貼着部材２の中間に位置され、バックアップ貼着部材２に囲まれる範囲以外の周辺位置に位置される。
【００９４】
本実施形態では、安全機構は、交換装置３と、案内装置４と、バッファ装置５と、警告装置６とを有する。図に示すように、本実施形態に係る交換装置３は、“受け式交換装置”及び“接続式交換装置”を含む。
【００９５】
前述の受け式交換装置は、メイン貼着部材１に接続されると共に第一接続箇所３１１を有する当接部３１、及びバックアップ貼着部材２に接続されると共に第二接続箇所３２１を有する受け部３２を備える。第二接続箇所３２１の位置は、第一接続箇所３１１の位置より低い。本実施形態において、バックアップ貼着部材２に接続される受け部３２は、メイン貼着部材１に接続される当接部３１の下方の位置に丁度よく位置され、且つメイン貼着部材１を受ける収容溝３４（本実施形態の図では、収容溝３４は鉤体として描画されるが、実施においては溝体でもよい）を有する。前記収容溝３４は、案内収納位置４２、及び下に向けて脱落されるメイン貼着部材１を案内させて案内収納位置４２に到達させる案内面４３を有する。案内面４３は、平面の斜面または弧状面である。
【００９６】
前述の接続式交換装置は接続部材３３を備え、接続部材３３は、メイン貼着部材１に接続される第一接続箇所３３１、及びバックアップ貼着部材２に接続される第二接続箇所３３２を有する。接続部材３３は、図に示すように、可撓性ベルト体、ソフトワイヤー、チェーン、接続ロッド、または伸縮機構でもよい。また、接続部材３３とメイン貼着部材１及びバックアップ貼着部材２との接続方式は、接続されての固定または活動的な接続に限定されず、粘着、係着、係合、重ね接続、被着等の接続方式が選択される。なお、接続部材３３の長さは、メイン貼着部材１とバックアップ貼着部材２の接続箇所との間の距離より長く、すなわち、接続部材３３の最大長さは、第一接続箇所３３１と第二接続箇所３３２との間の距離より長い。これにより、接続部材３３は、バックアップ貼着部材２が未作動の場合は弛緩または曲折状を呈し、接続部材３３に接続されるメイン貼着部材１及びバックアップ貼着部材２により相互に接続されるが、相互に拘束はされず、干渉もされない接続関係が構成される。この構成により、交換装置３の当接部３１、受け部３２、及び接続部材３３により、メイン貼着部材１が使用過程において不注意により貼付部１１が壁面Ｗから脱離されることで下に向けて脱落される場合に、二重のバックアップ防護機制が提供され、且つバックアップ貼着部材２に交換されて支持部１０及び支持部１０により支持される外物の支持を行う（図４及び図５に示す）。制止が完成されて接続が完成されると、メイン貼着部材１の上方にある接続式交換装置により引っ張られ、下方にある受け式交換装置により支えられ、保持部１０が好ましい端正な姿勢になり、これにより、支持部１０により支持される外物が容易に脱落されなくなる。図３に示すように、メイン貼着部材１が壁面Ｗから脱離を開始し、且つ壁面Ｗから完全に脱離されると共に下に向けて脱落される場合、図３、図４、及び図５に示すように、案内面４３から下に向けて落下されるメイン貼着部材１は、当接部３１が下方に位置されると共に、受け機能が提供される受け部３２に当接されることにより、落下されるメイン貼着部材１（支持部１０）が収容溝３４に滑り入れられ、且つ下に向けて案内収納位置４２まで滑動され、メイン貼着部材１が継続的に下に向けて脱落されるのが制止され、且つバックアップ貼着部材２に交換されて保持部１０の保持を行う。これと同時に、落下されるメイン貼着部材１（支持部１０）が接続部材３３により引っ張られる。接続部材３３が真っ直ぐ引っ張られて完全に伸張されて緊縮されると、メイン貼着部材１が継続して下に向けて脱落されるのが制止されて接続段階に進む。また、バックアップ貼着部材２が正式に作動を開始させ、且つバックアップ貼着部材２に交換されて保持部１０の保持を行う。
【００９７】
前述の案内装置４は、メイン貼着部材１及びバックアップ貼着部材２にそれぞれ設けられる被案内部及び案内部を備える。本実施形態において、被案内部はメイン貼着部材１の接続部１２（すなわち、台座）であり、案内部は、バックアップ貼着部材２に設置されると共に接続部１２の左右両側に位置される案内壁４１である。これにより、案内壁４１によりメイン貼着部材１の落下過程において接続部１２及び支持部１０が端正な姿勢に維持され、保持部１０により支持される外物が脱落される事態が回避される。実施において、案内装置４の案内部は、メイン貼着部材１またはバックアップ貼着部材２に接続され（事実上、本実施形態に係るメイン貼着部材１は、左右両側及び案内壁４１が接触される表面はメイン貼着部材１の案内面に位置される）、且つメイン貼着部材１（支持部１０）の落下経路に対して制限を行う案内面でもよく、例えば、平面の斜面または弧状面でもよい。また、前述の案内収納位置４２及び下に向けて脱落されるメイン貼着部材１を案内させて案内収納位置４２に到達させる案内面４３は、案内装置４に属する案内部であり、終点まで下落される保持部１０（被案内部）に端正な姿勢を保持させる。前述のバッファ装置５は、メイン貼着部材１が壁面Ｗから脱離されて下に向けて脱落される速度を緩めるために用いられ、及び／或いは保持部１０の振動や揺れを減少させる。本実施形態において、バッファ装置５は、バックアップ貼着部材２の受け部３２に接続され、及び／或いはメイン貼着部材１の当接部３１の１つまたは複数クッションパッド５１に接続されて、メイン貼着部材１の振動または揺れが打ち消される。クッションパッド５１は、振動を吸収させるためのパッド構造である（例えば、スポンジまたは振動吸収ユニットを有する各種のパッド）。メイン貼着部材１が下に向けて脱落されて終点に達すると、当接部３１及び受け部３２が相互に接触される第一接続箇所３１１及び第二接続箇所３２１の間にクッションパッド５１が挟着され、振動または揺れが打ち消される効果を達成させる。また、本実施形態の図において、図示されていないが、前述のバッファ装置５は、接続式交換装置の接続部材３３に組み合わせられて、図７に示すように、箱カバー３３Ｂ、箱２３、及びダンプ装置５２が設置され、または、図１０に示すように、摩擦部材が設置され、接続部材３３に対して制動作用または摩擦作用を提供し、メイン貼着部材１が下に向けて降下される速度を緩める機能を達成させる。
【００９８】
本実施形態では、接続部材３３は、同時に警告情報表示部材６１の機能も果たす。図に示すように、接続部材３３（警告情報表示部材６１）には警告情報６０が設けられ、警告情報６０は、制限するわけではないが、警告符号及び警告文である。前述の警告情報６０は、曲折状を呈する接続部材３３（警告情報表示部材６１）に設けられ、且つメイン貼着部材１が壁面Ｗに貼付される場合は湾曲の中に隠される（図１参照）。但し、メイン貼着部材１が壁面Ｗから脱離されると共に、接続部材３３（警告情報表示部材６１）が真っ直ぐ引っ張られて完全に伸張されると、警告情報６０が同時に露出される（図４参照）。メイン貼着部材１が壁面Ｗから脱離された後に、警告情報６０の提示により、使用者が第一時間に発見して回復作業を行えるようになる。
【００９９】
上述の説明から分かるように、本実施形態において、安全機構は、メイン貼着部材１とバックアップ貼着部材２との間に設置される交換装置３を備える以外、案内装置４と、バッファ装置５と、警告装置６とを更に備える。
【０１００】
（第２実施形態）
図６乃至図９は、本発明に係る貼付け式壁面保持構造の第２実施形態の構造を図示する。本実施形態では、図に示すように、支持部１０はフックであり、メイン貼着部材１の貼付部１１は吸盤である。バックアップ貼着部材２の貼付部２１はステッカーであり、円盤状の造型を呈するバックアップ貼着部材２の下表面は円形平面であると共に、貼付部（ステッカー）２１の上表面に接続されて固定される。接続部２２は箱２３を有する台座であり、且つ箱２３は開けることができる箱カバー３３Ｂを有する。
【０１０１】
前述のバックアップ貼着部材２は貼付部２１により壁面Ｗに貼付され、貼付部２１はステッカーであり、ステッカーはメイン貼着部材１の貼付位置を提供するメイン貼付物位置ｐを有する。図に示すように、メイン貼付物位置ｐは、貼付部２１の側辺の切り欠きである（図６参照）。本実施形態の図には、図示しないが、メイン貼付物位置ｐは貼付部２１に設けられる閉鎖孔でもよく、メイン貼着部材１がメイン貼付物位置ｐ中に収納されると共に、壁面Ｗに貼付される。また、メイン貼付物位置ｐは貼付部２１の表面に直接標示される指示符号でもよく、メイン貼着部材１は貼付部２１の表面上の指示符号に指定される位置に貼付され、貼付部２１により壁面Ｗに間接的に貼付される。
【０１０２】
本実施形態では、安全機構は同時に、交換装置３と、バッファ装置５と、警告装置６とを有する。
【０１０３】
前述の交換装置３の作業は、支持部１０を有するメイン貼着部材１が壁面Ｗから脱離されて下に向けて脱落される場合、バックアップ貼着部材２に適時交換されて保持部１０の保持を行う。いわゆる“交換”とは、制止及び接続の２つの段階に分けられる。本実施形態では、制止方式が引っ張ることによる制止となる。制止が達成されると、正式に接続が開始され、未接続の場合は、メイン貼着部材１が正式に使用される。接続される場合、メイン貼着部材１が脱落されているため、バックアップ貼着部材２が正式に作動される。
【０１０４】
図に示すように、本実施形態に係る交換装置３は、“接続式交換装置”である。前述の接続式交換装置は接続部材３３を備え、接続部材３３は接続バー３３Ａ及び箱カバー３３Ｂの２つの部分を含む。接続バー３３の上端の環状部３３Ａ１は箱カバー３３Ｂのリング３３B１に被着され、箱カバー３３Ｂが開かれ、箱カバー３３Ｂは箱カバーのシャフト３３２を介して箱２３に接続され、開閉される（本実施形態の図によると、箱カバー３３Ｂのシャフト３３２の箇所には同時に回転式ダンプ装置が設置される）。
【０１０５】
接続部材３３はメイン貼着部材１に接続される第一接続箇所３３１を有し、バックアップ貼着部材２に接続される第二接続箇所３３２は箱カバー３３Ｂのシャフトとなる。接続バー３３Ａは、図に示すように、可撓性ベルト体、ソフトワイヤー、チェーン、接続ロッドまたは、伸縮機構でもよい。また、接続部材３３とメイン貼着部材１及びバックアップ貼着部材２との接続方式は、接続されての固定または活動接続に限定されず、粘着、係着、係合、重ね接続、被着等の接続方式が選択される。なお、接続部材３３Ａ及び箱カバー３３Ｂの２つの部分を備える接続部材３３の総延長は、メイン貼着部材１とバックアップ貼着部材２の接続箇所との間の距離より長く、すなわち、接続部材３３の総延長は、第一接続箇所３３１と第二接続箇所３３２との間の距離より長い（図７参照）。本実施形態では、接続部材３３は、バックアップ貼着部材２が未作動の場合、弛緩または曲折状を呈し、接続部材３３により接続されるメイン貼着部材１及びバックアップ貼着部材２により相互に接続されるが、相互に拘束はされず、干渉もされない接続関係が構成される。
【０１０６】
このような構成により、交換装置３の接続部材３３により、メイン貼着部材１が使用過程において不注意によりメイン貼着部材１１が壁面Ｗから脱離されることで下に向けて脱落される場合、防護機制が提供され、且つバックアップ貼着部材２に交換されて、支持部１０及び支持部１０により支持される外物の支持を行う（図８参照）。
【０１０７】
図８に示すように、メイン貼着部材１が壁面Ｗからの脱離を開始させ、且つ壁面Ｗから完全に脱離されると共に下に向けて脱落されると、下に向けて脱落されるメイン貼着部材１（保持部１０）がバックアップ貼着部材２に接続される接続バー３３Ａに引っ張られる。接続バー３３Ａ及び箱カバー３３Ｂが引っ張られて図８に示す直線接続関係を呈すると、メイン貼着部材１が継続して下に向けて脱落されるのが制止され、接続段階に進み、且つバックアップ貼着部材２が正式に作動を開始させる。すなわち、バックアップ貼着部材２に交換されて保持部１０の保持を行う。
【０１０８】
前述のバッファ装置５は、メイン貼着部材１が壁面Ｗから脱離されて下に向けて脱落される速度を緩めるために用いられ、及び／或いは保持部１０の振動や揺れを減少させる。本実施形態では、バッファ装置５は、箱カバー３３Ｂの枢着位置に設置されるダンプ装置５２である。メイン貼着部材１が下に向けて脱落される過程において、ダンプ装置５２によりメイン貼着部材１が下に向けて脱落される速度が緩められ、振動及び揺れが減少される効果が達成される。
【０１０９】
本実施形態では、箱２３には警告情報表示部材６１が内設され、警告情報表示部材６１は一端が箱２３に接続され、他端はバランスウェイトレバー６２を有すると共に卷回または折り畳まれる警告標語ロールである。且つ警告情報表示部材６１の表面には警告情報６０が設けられ、警告情報６０は、制限するわけではないが、警告符号及び警告文である。
【０１１０】
メイン貼着部材１が正常に使用されて壁面Ｗに貼付されると、警告情報表示部材６１が卷回されて箱２３内に入れられる（図７参照）。但し、メイン貼着部材１が壁面Ｗから脱離されると共に下に向けて脱落される場合、接続バー３３Ａにより同時に箱カバー３３Ｂが引き開けられ、ダンプ装置５２により箱カバー３３Ｂがゆっくりと開けられる。これにより、メイン貼着部材１が緩慢に下に向けられ、箱カバー３３Ｂが開けられた後、本来箱２３内に隠される警告情報表示部材６１が、下に向けて脱落されるバランスウェイトレバー６２により引っ張られて展開され、且つ表面上の警告情報６０が露出される（図８参照）。メイン貼着部材１が壁面Ｗから脱離された後、警告情報６０の警告により使用者が第一時間に発見して回復作業を行えるようになる。
【０１１１】
また、本実施の図には図示しないが、前述の警告装置６は、箱２３内または他の適切な位置に設置されると共に、警告信号を発信させる電子式警報器である（図示せず）。箱カバー３３Ｂが接続バー３３Ａにより引き開けられると、同時に電子式警報器が起動されて警告音が発せられ、及び／或いは警告光等の警告信号が発せられ、メイン貼着部材１が壁面Ｗから脱離された後に、警告信号の警告により使用者が第一時間に発見して回復作業を行えるようになる。
【０１１２】
図１０及び図１１は、第２実施形態の構造の一部変化概略図である。図に示すように、接続部材３３は可撓性ベルト体であり、且つバックアップ貼着部材２に接続される第二接続箇所３３２を有する。また、図には他のバッファ装置５を示し、バッファ装置５は、バックアップ貼着部材２に設置されると共に、接続部材３３の左右両側の２つの摩擦部材５３にそれぞれ近接され、摩擦部材５３により下に向けて脱落される接続部材３３に対する摩擦作用が提供され、メイン貼着部材１が下に向けて脱落される速度を緩める機能、及び振動及び揺れを減少させる機能を達成させる。
【０１１３】
上述の説明のとおり、本実施形態に係る安全機構は、メイン貼着部材１とバックアップ貼着部材２との間に設置される交換装置３を備える以外、バッファ装置５及び警告装置６を更に含む。実施において、当然ながら、他の実施形態で適用される案内装置４に更に設置される。
【０１１４】
（第３実施形態）
図１２乃至図１４には、本発明に係る貼付け式壁面保持構造の第３実施形態の構造を示す。本実施形態の図に示すように、支持部１０はフックであり、メイン貼着部材１の貼付部１１は粘着テープである。バックアップ貼着部材２は簡略化されて貼付部２１となる。
【０１１５】
本実施形態は単純な構造であり、安全機構は、交換装置３と、案内装置４と、警告装置６とを有するが、但し、交換装置３及び案内装置４が結合される。交換装置３は、接続ロッド組の構造により、支持部材１０が下に向けて脱落される場合に、支持部材１０が引っ張られることにより接続機能が達成される。案内装置４も、シャフトにより枢接される接続ロッドにより、その縦長方向が捻じれにくいという特性があるため（図１３参照、接続ロッド組が真っ直ぐ引っ張られるが垂直方向には軸線の捻じれ動作は起こりにくい）、壁面Ｗに平行する平面では擺動動作が発生しにくく、これにより、部分的な案内効果が達成される。この案内装置４には、支持部１０を厳格に端正な姿勢に限定させて保持させる効果はないが、但し、部分的な案内機能を有し、保持部１０には深く凹む容器が用いられ、長く尖ったフック等の被支持物が脱落しにくくなり、簡単に運用できるようになる。
【０１１６】
図に示すように、本実施形態に係る交換装置３は、“接続式交換装置”である。接続部材３３は曲折される多関節式接続ロッドであり、接続部材３３の一端はメイン貼着部材１の接続部１２に接続され、他端はバックアップ貼着部材２の簡略化される貼付部２１の表面に直接接続される。接続部材３３は、複数のロッド体が枢接されることで形成される接続ロッド組であり、接続部材３３が完全に伸展された後の長さは、図１２の第一接続箇所３３１と第二接続箇所３３２との間の距離より長い。このため、接続部材３３はバックアップ貼着部材２が未作動の場合は曲折状を呈する。
【０１１７】
図１３に示すように、メイン貼着部材１が壁面Ｗから完全に脱離されると共に下に向けて脱落されると、下に向けて脱落されるメイン貼着部材１（保持部１０）がバックアップ貼着部材２に接続される接続部材３３により引っ張られ、接続部材３３が真っ直ぐ引っ張られて完全に伸張されて緊縮されると、メイン貼着部材１が継続して下に向けて脱落されるのが制止され、接続段階に進む。また、バックアップ貼着部材２が正式に作動を開始させ、且つバックアップ貼着部材２に交換されて保持部１０の保持を行う。
【０１１８】
第３実施形態において、接続部材３３には警告情報表示部材６１が設けられ、警告情報表示部材６１は一端が接続部材３３に接続されると共に卷回または折り畳まれる警告標語ロールであり、且つ警告情報表示部材６１の表面には警告情報６０が設けられる。警告情報６０は、制限するわけではないが、警告符号及び警告文である。前述の警告情報表示部材６１の警告情報６０は、メイン貼着部材１が壁面Ｗに貼付される場合は、折り畳まれる接続ロッド組に巻かれて挟まれることにより隠される（図１２参照）。但し、メイン貼着部材１が壁面Ｗから脱離されると共に接続部材３３が引き開けられて完全に伸展される場合、警告情報表示部材６１が同時に落下されて展開されると共に、表面上の警告情報６０が露出される（図１３及び図１４参照）。メイン貼着部材１が壁面Ｗから脱離された後、警告情報６０の警告により使用者が第一時間に発見して回復作業を行えるようになる。
【０１１９】
図１５乃至図１９には、本発明に係る貼付け式壁面保持構造の第４実施形態の構造を示す。本実施形態の図に示すように、支持部１０はフックであり、メイン貼着部材１の貼付部１１は吸盤である。バックアップ貼着部材２の貼付部２１は、ステッカーであり、円盤状の造型を呈するバックアップ貼着部材２の下表面は円形平面であり、貼付部（ステッカー）２１の上表面に接続されて固定される。
【０１２０】
前述のバックアップ貼着部材２は貼付部２１により壁面Ｗに貼付され、貼付部２１はステッカーであり、ステッカーはメイン貼着部材１の貼付位置を提供するメイン貼付物位置ｐを有する。図に示すように、メイン貼付物位置ｐは、貼付部２１の側辺の切り欠きであり（図１５参照）、貼付部２１に設けられる閉鎖孔でもよく（図中では二点の破線で示す）、メイン貼着部材１がメイン貼付物位置の開口部中に収納されると共に壁面Ｗに貼付される。また、メイン貼付物位置の開口部は、貼付部（ステッカー）２１の表面上に直接標示される指示符号でもよく、メイン貼着部材１が貼付部（ステッカー）２１の表面上の指示符号により指定される位置に貼付され、貼付部２１により壁面Ｗに間接的に貼付される。
【０１２１】
本実施形態は構造が精密であり、安全性が高い構造であり、安全機構は同時に交換装置３と、案内装置４と、バッファ装置５とを有する。交換装置３は（Ｔ型）スライダー及び（Ｔ型）滑動溝組の合体であり、保持部１０が端正な姿勢での垂直昇降に限定される。実施において、昇降距離が適切な短距離に限定されて、衝撃及び振動の発生が減少され、好ましいクッションパッドが設置されることにより振動が更に減少される。これにより、安定的で安全な安全機構となる。支持部が盤状物、物置棚等であり、保持される外物が容易に脱落される場合、本実施形態の構造が採用される。
【０１２２】
前述の交換装置３の作業は、支持部１０を有するメイン貼着部材１が壁面Ｗから脱離されて下に向けて脱落される場合、バックアップ貼着部材２に適時交換されて保持部１０の保持を行う。いわゆる“交換”は、制止及び接続の２つの段階に分けられる。本実施形態は、止めることによる制止により制止が達成されると、交換装置３の作業が完成されて正式に接続され、未接続の場合はメイン貼着部材１が正式に使用される。接続される場合、メイン貼着部材１が脱落されているため、バックアップ貼着部材２が正式に作動される。
【０１２３】
図に示すように、本実施形態に係る交換装置３は、“受け式交換装置”である。前述の受け式交換装置は、メイン貼着部材１に接続されると共に第一接続箇所３１１（当接部３１の制止板３１３の下表面に位置される）を有する当接部３１、及びバックアップ貼着部材２に接続されると共に第二接続箇所３２１（図１５乃至１９中のバックアップ貼着部材２の受け部３２の上端に位置され、すなわち、（Ｔ型）滑動溝４５の上端に位置される）を有する受け部３２を備える。第二接続箇所３２１の位置は、第一接続箇所３１１の位置より低い。本実施形態では、バックアップ貼着部材２に接続される受け部３２は、メイン貼着部材１に接続される当接部３１の下方の位置に丁度よく位置される。
【０１２４】
本実施形態の収容溝３４は（Ｔ型）滑動溝であり、前記収容溝３４は、案内収納位置４２（案内収納位置４２には（Ｔ型）スライダー４４の下端が丁度よく収納される）及び下に向けて脱落されるメイン貼着部材１を案内させて案内収納位置４２に到達させる案内面４３を有する。案内面４３は、平面の斜面または弧状面である。このような構成により、交換装置３の当接部３１及び受け部３２により、メイン貼着部材１が使用過程において不注意により貼付部１１が壁面Ｗから脱離されることで下に向けて脱落される場合に（図１８参照）、バックアップの防護機制を提供し、且つバックアップ貼着部材２に交換されて支持部１０及び支持部１０により支持される外物の支持を行う（図１９参照）。
【０１２５】
図１６に示すように、メイン貼着部材１、支持部１０、及びバックアップ貼着部材２の互いの位置関係は三角形を呈し、支持部１０は接続部１２によりメイン貼着部材１に接続され、保持部１０及びメイン貼着部材１は活動式に接続される。すなわち、接続部１２は、支持部１０及びメイン貼着部材１が相互に変位できるようにし、且つ交換装置３によりバックアップ貼着部材２に接続される。これにより、支持部１０からの下に向けられる重力Ｆｗ及びメイン貼着部材１からの引張力Ｆｔ（接続ベルト１２により伝達される、すなわち、接続ベルト１２の張力）の合力Ｆｐにより、バックアップ貼着部材２が壁面Ｗに向けて圧迫される（図１６参照すると、以下の三角形の合力は、Ｆｐの矢印が指し示す壁面Ｗに向かう）。これにより、メイン貼着部材１が壁面Ｗに貼着される場合、外物により保持部１０に加えられる重力が、バックアップ貼着部材が壁面Ｗに向けて圧迫される力に変換される。メイン貼着部材が使用中に受力される場合に、バックアップ貼着部材２が外物の重力を負担させないばかりか、反対に壁面Ｗにきつく圧迫されて、未作動状態になる。メイン貼着部材１が脱落された後、バックアップ貼着部材２の使用が開始される。
【０１２６】
このように、図のバックアップ貼着部材２の円盤部分が従来の吸盤に変更され、バックアップ貼着物（ステッカー）３１が取り消され、吸盤が壁面Ｗに直接吸着されることにより、メイン貼着部材１が使用されると、吸盤により壁面Ｗに圧迫されて未作動状態になり、吸盤が有効で使用が開始されない状態に確保される。これにより、全ての貼着寿命が保たれて、単独で支持部１０を支持させるために用いられる。メイン貼着部材１が脱落される場合、吸盤の使用が開始され、吸盤が一定時間使用されると、空気が吸盤に進入して吸盤の効力が失われ、その後に構造全体が脱落される。このため、十分長い安全期間を有し、使用者が危険を発見した場合に、メイン貼着部材１により支持部１０が支持される正常な状況を回復させるようにする。
【０１２７】
図１８に示すように、メイン貼着部材１が壁面Ｗから脱離し始め、且つ壁面Ｗから完全に脱離されると共に下に向けて脱落される場合、図１９に示すように、下に向けて脱落される支持部１０は、互いに接続される当接部３１の（Ｔ型）スライダー４４の下端が案内面４３により案内収納位置４２に案内されて、支持部１０が端正な姿勢に保たれる。同時に、受け部３２の上端の第二接続箇所３２１が当接部３１の上方の第一接続箇所３１１に当接（２つの接続箇所の間にクッションパッド５１が挟まれる）されることにより、支持部１０が継続して下に向けて脱落されるのが制止され、且つバックアップ貼着部材２に交換されて保持部１０の保持を行う。
【０１２８】
前述の案内装置４はメイン貼着部材１及びバックアップ貼着部材２にそれぞれ設けられる被案内部及び案内部を備え、被案内部は当接部３１の下方の（Ｔ型）スライダー４４に設けられ、案内部は受け部３２の（Ｔ型）滑動溝４５に設置され、（Ｔ型）スライダー４４及び（Ｔ型）滑動溝４５は相互に被着されると共に対応し合って滑動される。これにより、（Ｔ型）滑動溝４５により（Ｔ型）スライダー４４が下に向けて脱落される経路が制限され、メイン貼着部材１の落下過程において支持部１０が端正な姿勢に維持される。また、当接部３１の制止板３１３の第一接続箇所３１１と受け部３２の上端の第二接続箇所３２１との間の距離が短く設けられることにより、短い下落行程を有し、振動が減少され、支持部１０により支持される外物の脱落が回避される。前述の案内収納位置４２及び下に向けて脱落されるメイン貼着部材１を案内させて案内収納位置４２に到達させる案内面４３は、案内装置４に属し、保持部１０が終点まで下落されて端正な姿勢に保持される。
【０１２９】
前述のバッファ装置５は、メイン貼着部材１が壁面Ｗから脱離されて下に向けて脱落される際の支持部１０の振動や揺れを減少させる。本実施形態において、バッファ装置５は、バックアップ貼着部材２の受け部３２に接続され、及び／或いはメイン貼着部材１の当接部３１の１つまたは複数クッションパッド５１に接続され、メイン貼着部材１の振動や揺れが打ち消される。クッションパッド５１は、振動を吸収させるパッド構造（例えば、スポンジまたは振動吸収ユニットを有する各種のパッド）であり、メイン貼着部材１が下に向けて脱落されて終点に達すると、クッションパッド５１が当接部３１と受け部３２の相互に接触される箇所との間に挟着され、振動や揺れの打ち消し効果が達成される。
【０１３０】
本実施形態では、当接部３１は制止板３１３を有し、且つ前記制止板３１３の下端にはクッションパッド５１が結合される。メイン貼着部材１が壁面Ｗから脱離されて下に向けて脱落される場合、メイン貼着部材１に連れられて、共に脱落される支持部１０が制止板３１３により受け部３２の上部に当接されることにより、支持部１０及び全メイン貼着部材１が継続して下に向けて脱落されるのが制止され、且つ制止板３１３の下端に設置されるクッションパッド５１により接触の緩衝作用が達成される。
【０１３１】
本実施形態では、メイン貼着部材１は、警告情報表示部材の機能を同時に兼ね備える。図１９に示すように、メイン貼着部材１が壁面Ｗから脱離されて下に向けて脱落された後、ばね板で構成される接続部１２が自由状態に回復されると、脱落された吸盤（貼付部１１）が見つけやすい場所に落着される。また、支持部１０の使用の障害になる場所では、警告及び暫定的な使用停止メッセージがはっきりと伝達される。メイン貼着部材１が壁面Ｗから脱離された後、警告情報が掲示されることにより、使用者が第一時間に発見して回復作業を行える。
【０１３２】
（第４実施形態）
図２０乃至図２２は、第４実施形態の構造の一部変化後の概略図を図示する。図に示すように、当接部３１は図１５に示す制止板３１３の構造を具備しないが、但し、（Ｔ型）滑動溝４５は制止板３１３と同様の効果を有する底部により、クッションパッド５１が受け部３２の（Ｔ型）滑動溝４５の底部に設置される。このような構成により、メイン貼着部材１が壁面Ｗから脱離されて下に向けて脱落される場合、メイン貼着部材１と共に脱落される支持部１０が（Ｔ型）スライダー４４を介して受け部３２の（Ｔ型）滑動溝４５の底部に当接される。第一接続箇所３１１がクッションパッド５１を第二接続箇所３２１にきつく圧迫させる場合、支持部１０及び全メイン貼着部材１が継続して下に向けて脱落されるのが制止され、且つ（Ｔ型）滑動溝４５の底部に設置されるクッションパッド５１により接触の緩衝作用が達成される。
【０１３３】
上述の説明から分かるように、本実施形態に係る安全機構は、メイン貼着部材１とバックアップ貼着部材２との間に設置される交換装置３を備える以外、案内装置４と、バッファ装置５と、警告装置６とを更に備える。
【０１３４】
（第５実施形態）
図２３乃至図２７は、本発明に係る貼付け式壁面保持構造の第５実施形態の構造を図示する。本実施形態の図に示すように、支持部１０はフックであり、メイン貼着部材１の貼付部１１は吸盤であり、バックアップ貼着部材２の貼付物２１はステッカーであり、円盤状の造型を呈するバックアップ貼着部材２の下表面は円形平面であり、貼付部（ステッカー）２１の上表面に接続されて固定される。
【０１３５】
前述のバックアップ貼着部材２は貼付部２１により壁面Ｗに貼付され、貼付部２１はステッカーであり、ステッカーはメイン貼着部材１の貼付位置を提供するメイン貼付物位置ｐを有する。図に示すように、メイン貼付物位置ｐは、貼付部２１の側辺の切り欠きであり（図２３参照）、貼付部２１に設けられる閉鎖孔でもよく（図中の二点の破線で示す）、メイン貼着部材１がメイン貼付物位置ｐ中に収納されると共に壁面Ｗに貼付される。また、メイン貼付物位置ｐは、貼付部２１の表面に直接標示される指示符号でもよく、メイン貼着部材１が貼付部２１の表面の指示符号により指定される位置に貼付され、貼付部２１により壁面Ｗに間接的に貼付される。
【０１３６】
本実施形態では、安全機構は同時に、交換装置３と、案内装置４と、バッファ装置５とを有する。第４実施形態の一部変化構造（図２０乃至図２２参照）との主な差異は、本実施形態は、正常な使用状態において、被案内部が案内部中に納入されず、案内部の上方に離れて位置され、メイン貼着部材１が脱落される場合、被案内部は脱落された後に下に向けて脱落される非常に長い行程を有し、その後に案内部に互いに接続されて案内部中に納入される点である。
【０１３７】
図に示すように、本実施形態に係る交換装置３は、“受け式交換装置”である。受け式交換装置は、メイン貼着部材１に接続されると共に第一接続箇所３１１を有する当接部３１、及びバックアップ貼着部材２に接続されると共に第二接続箇所３２１を有する受け部３２を備える。第二接続箇所３２１の位置は、第一接続箇所３１１の位置より低い。本実施形態では、バックアップ貼着部材２に接続される受け部３２は、メイン貼着部材１に接続される当接部３１の下方の位置に丁度よく位置され、且つメイン貼着部材１を受けるのに十分な収容溝３４を有する。前記収容溝３４は、案内収納位置４２、及び下に向けて脱落されるメイン貼着部材１を案内させて案内収納位置４２に到達させる案内面４３を有し、当接部３１が案内収納位置４２に完全に落着されると端正な姿勢を呈し、支持部１０が端正な姿勢になる。案内面４３は、平面の斜面または弧状面である。
【０１３８】
このような構成により、交換装置３の当接部３１、受け部３２、及び接続部材３３により、メイン貼着部材１が使用過程において不注意により貼付部１１が壁面Ｗから脱離されることで下に向けて脱落される場合（図２６参照）、バックアップの防護機制が提供され、且つバックアップ貼着部材２に交換されて支持部１０及び支持部１０により支持される外物の支持を行う（図２７参照）。
【０１３９】
前述の案内装置４は、メイン貼着部材１及びバックアップ貼着部材２にそれぞれ設けられる被案内部及び案内部を備える。被案内部は当接部３１であり、案内部は、受け部３２の収容溝３４内に設置される案内収納位置４２、及び下に向けて脱落されるメイン貼着部材１の当接部３１を案内させて案内収納位置４２に到達させる案内面４３である。このように、実施において、案内装置４の案内面は、メイン貼着部材１またはバックアップ貼着部材２に接続され、且つメイン貼着部材１（支持部１０）の落下経路を制限させる案内面でもよく、例えば、平面の斜面または弧状面である。図示から分かるように、案内収納位置４２及び下に向けて脱落されるメイン貼着部材１を案内させて案内収納位置４２に到達させる案内面４３は、案内装置４に属する案内部であり、終点まで下落される保持部１０（被案内部）を端正な姿勢に保持させる。
【０１４０】
本実施形態では、バッファ装置５は、バックアップ貼着部材２の受け部３２に接続され、及び／或いはメイン貼着部材１の当接部３１の１つまたは複数クッションパッド５１に接続されて、メイン貼着部材１の振動や揺れが打ち消される。クッションパッド５１は、振動を吸収させるパッド構造であり（例えば、スポンジや振動吸収ユニットを有する各種のパッド）、メイン貼着部材１が下に向けて脱落されて終点に達すると、当接部３１と受け部３２の相互に接触される箇所の間にクッションパッド５１が挟着されるため、振動や揺れの打ち消し効果が達成される。
【０１４１】
上述の説明から分かるように、本実施形態に係る安全機構は、メイン貼着部材１とバックアップ貼着部材２との間に設置される交換装置３を備える以外、案内装置４及びバッファ装置５を更に含む。実施において、当然ながら、他の実施形態に適用される警告装置６が更に設置されてもよい。
【０１４２】
（第６実施形態）
図２８乃至図３０には、本発明に係る貼付け式壁面保持構造の第６実施形態の構造を図示する。本実施形態の図示によると、支持部１０はフックであり、メイン貼着部材１の貼付部１１は吸盤であり、バックアップ貼着部材２の貼付物２１はステッカーであり、円盤状の造型を呈するバックアップ貼着部材２の下表面は円形平面であると共に貼付部（ステッカー）２１の上表面に接続されて固定される。実施において、支持部１０は貼付部１１に直接接続されてもよい（図中の二点の破線で示す）。
【０１４３】
図に示すように、本実施形態に係る接続部１２は、１つ以上の多関節の接続ロッド１２１が枢接されて形成される接続ロッド組であり、枢接されるシャフト１２１１以外にこれに組み合わせられるベアリング１２１２を有し、シャフト１２１１はベアリング１２１２中で回転を行う。これにより、隣接される各２つの接続ロッド１２１が相互に擺動運動を行い、ベアリング１２１２または接続ロッド１２１には突出されるストッパー１２１３が設置される。前述の隣接される接続ロッド１２１が最大許容幅まで擺動されると、ストッパー１２１３が相互に当着されることにより、接続ロッド１２１が許容される擺動幅を超えて擺動されるのが阻止される。これにより、支持部１０が外物の重力を受けて接続ロッド組が下に向けて圧迫されると、メイン貼着部材１の貼付部（吸盤）１１が受力されることで徐々に壁面Ｗから離れ始める（図２９及び図３０に示す吸盤を比較して参照）。しかし、壁面Ｗから脱離されていない場合、接続ロッド組の擺動により最上段の接続ロッド１２１（図３０参照）が垂直状になり、バックアップ貼着部材２が壁面から離される力を受けない。メイン貼着部材１が壁面Ｗから脱離されて脱落される場合、バックアップ貼着部材２が作動を開始させる。これにより、全ての貼着寿命が保たれて、メイン貼着部材１が脱落された後に使用される。こうして、バックアップ貼着部材２により保持部１０が保持される時間が長くなり、使用者により正常な状態に回復された後、高い安全性を有する。
【０１４４】
前述のバックアップ貼着部材２は貼付部２１により壁面Ｗに貼付され、貼付部２１はステッカーであり、ステッカーはメイン貼着部材１に貼付位置を提供するメイン貼付物位置ｐを有する。図に示すように、メイン貼付物位置ｐは、貼付部２１の側辺の切り欠きであり（図２８参照）、貼付部２１に設けられる閉鎖孔でもよく、メイン貼着部材１がメイン貼付物位置ｐ中に収納されると共に壁面Ｗに貼付される。また、メイン貼付物位置ｐは、貼付部２１の表面に直接標示される指示符号でもよく、メイン貼着部材１が貼付部２１の表面の指示符号により指定される位置に貼付され、貼付部２１により壁面Ｗに間接的に貼付される。
【０１４５】
本実施形態では、安全機構は同時に、交換装置３と、案内装置４と、バッファ装置５とを有する。図に示すように、本実施形態に係る交換装置３は“受け式交換装置”である。
【０１４６】
前述の受け式交換装置は、メイン貼着部材１に接続されると共に第一接続箇所３１１（当接部３１の制止板３１３の下表面に位置される）を有する当接部３１、及びバックアップ貼着部材２に接続されると共に第二接続箇所３２１を有する受け部３２を備える。第二接続箇所３２１（受け部３２の上面に位置される）の位置は、第一接続箇所３１１の位置より低い。本実施形態において、バックアップ貼着部材２に接続される受け部３２は、メイン貼着部材１に接続される当接部３１の下方の位置に丁度よく位置される。
【０１４７】
本実施形態の収容溝３４は（Ｔ型）滑動溝であり、前記収容溝３４は、案内収納位置４２（案内収納位置４２には（Ｔ型）スライダー４４の下端が丁度よく収納される）及び下に向けて脱落されるメイン貼着部材１を案内させて案内収納位置４２に到達させる案内面４３を有する。案内面４３は、平面の斜面または弧状面である。このような構成により、交換装置３の当接部３１、受け部３２、及び接続部材３３により、メイン貼着部材１が使用過程において不注意により貼付部１１が壁面Ｗから脱離されることで下に向けて脱落される場合（図３０参照）、バックアップの防護機制が提供され、且つバックアップ貼着部材２に交換されて支持部１０及び支持部１０により支持される外物の支持を行う。
【０１４８】
図３０に示すように、メイン貼着部材１が壁面Ｗから脱離され始め、且つ壁面Ｗから完全に脱離されると共に下に向けて脱落される場合、下に向けて脱落されるメイン貼着部材１が接続ロッド組１２及び（Ｔ型）スライダー４４により制止板３１３に接続される。当接部３１の制止板３１３が下方に位置されると共に受け機能を提供する受け部３２の上表面に当接されることにより、メイン貼着部材１が継続して下に向けて脱落されるのが制止され（この際、制止板３１３の下表面の第一接続箇所３１１が下に向けて変位され、クッションパッド５１により受け部３２の上面の第二接続箇所３２１に圧迫される）、且つバックアップ貼着部材２に交換されて保持部１０の保持を行う。
【０１４９】
前述の案内装置４は、メイン貼着部材１及びバックアップ貼着部材２にそれぞれ設けられる被案内部及び案内部を備え、被案内部は当接部３１の（Ｔ型）スライダー４４に設けられ、案内部は受け部３２の（Ｔ型）滑動溝４５に設置され、（Ｔ型）スライダー４４及び（Ｔ型）滑動溝４５は相互に被着されると共に対応し合って滑動される。このように、（Ｔ型）滑動溝４５により（Ｔ型）スライダー４４に対して下に向けて脱落される経路が厳格に制限され、メイン貼着部材１の落下過程において支持部１０が端正な姿勢に維持され、揺れが減少されて、支持部１０により支持される外物が脱落されるのを回避させる。実施において、案内装置４の案内面は、メイン貼着部材１またはバックアップ貼着部材２に接続され、且つメイン貼着部材１（支持部１０）の落下経路を制限させる案内面でもよく、例えば、平面の斜面または弧状面でもよい。また、前述の案内収納位置４２及び下に向けて脱落されるメイン貼着部材１を案内させて案内収納位置４２に到達させる案内面４３も案内装置４に属する案内部であり、終点まで下落される保持部１０（被案内部）が端正な姿勢に保持される。
【０１５０】
前述のバッファ装置５は、メイン貼着部材１が壁面Ｗから脱離されて下に向けて脱落される際に支持部１０の振動や揺れを減少させる。本実施形態では、バッファ装置５は、バックアップ貼着部材２の受け５部３２に接続され、及び／或いはメイン貼着部材１の当接部３１の１つまたは複数クッションパッド５１に接続され、メイン貼着部材１の振動や揺れが打ち消される。クッションパッド５１は、振動を吸収させるパッド構造であり（例えば、スポンジまたは振動吸収ユニットを有する各種のパッド）、メイン貼着部材１が下に向けて脱落されて終点に達すると、当接部３１と受け部３２の相互に接触される箇所との間にクッションパッド５１が挟着され、振動や揺れの打ち消し効果が達成される。
【０１５１】
本実施形態では、当接部３１は制止板３１３を有し、且つ前記制止板３１３の下端にはクッションパッド５１が結合される。メイン貼着部材１が壁面Ｗから脱離されて下に向けて脱落される場合、メイン貼着部材１に連れられて共に脱落される支持部１０は、制止板３１３が受け部３２の上部に当接されることにより支持部１０及び全メイン貼着部材１が継続して下に向けて脱落されるのが制止され、且つ制止板３１３の下端に設置されるクッションパッド５１により接触による緩衝作用が提供される。
【０１５２】
上述の説明から分かるように、本実施形態に係る安全機構は、メイン貼着部材１とバックアップ貼着部材２との間に設置される交換装置３を備える以外、案内装置４及びバッファ装置５を更に含む。実施において、当然ながら、他の実施形態に適用される警告装置６が更に設置されてもよい。
【０１５３】
さらに、上述の各実施形態は、須らく本発明の思想概念を実現し、本発明の前述の脱落を防止させる構造を達成させる。各実施形態において提供する多くの部分的な構造は、実際の応用に参考でき、実際の応用においては、本発明の技術に習熟する者ならば、各実施形態の中から応用できる部分を取り出して脱落を防止させる完全で実用的な貼付け式壁面保持構造を構成できる。
【０１５４】
上述の実施形態では、バックアップ機能を有する貼付け式壁面保持構造を提供し、主に外物の支持に用いられる支持部１０を備えるメイン貼着部材１の近接される箇所に１つまたは複数のバックアップ貼着部材２が設けられ、安全機構が更に設置され、安全機構はメイン貼着部材１とバックアップ貼着部材２との間に設置される交換装置３を主に含む。メイン貼着部材１が使用過程において予期せず貼付部１１が壁面から脱離されることで下に向けて脱落される場合、バックアップ貼着部材２がすなわち、バックアップサポートの役割を果たし、メイン貼着部材１に代わって支持部１０の支持作業を実行する。
【０１５５】
このほか、安全機構には、案内装置４と、バッファ装置５と、警告装置６とが更に設置される。案内装置４は、メイン貼着部材１に対して落下過程で制限を行い、支持部を端正な姿勢に維持させ、下落軌跡を短くし、振動を減少させるために用いられ、支持される外物の脱落を回避させる。バッファ装置５は、メイン貼着部材１が下に向けて脱落される速度を緩め、振動及び揺れを減少させるために用いられる。警告装置６は、正常な状態を回復させるために使用者に警告を提示し、メイン貼着部材１により支持部１０が支持される正常な使用状態を回復させる。
【０１５６】
以下では本発明の前述の思想概念に基づいて、７つの具体的な実施形態を提供する。すなわち、第７実施形態乃至第１３実施形態に図３１乃至図５３を組み合わせて説明する。
【０１５７】
なお、以下では各実施形態及び上述の実施形態において、メイン貼着部材が正常に使用される状況で、貼着される主要な貼着部材について説明する。バックアップ貼着部材は、正常に使用される状況では、予備となり、未使用、または部分的な貼着能力が借用され、補助的に貼着される貼着部材であり、メイン貼着部材と見做せる第一貼着部材が脱落される場合に全ての貼着作業を負担させる。しかしながら、メイン貼着部材及びバックアップ貼着部材の命名方式は、解説しやすくするためにすぎず、前述の名称によってメイン貼着部材及びバックアップ貼着部材の機能及び作用や構造を制限するものではない。ちなみに、メイン貼着部材及びバックアップ貼着部材は、第一貼着部材及び第二貼着部材と見做せる。すなわち、両者は同じ或いは異なる構造を有する貼着部材で実施され、且つ命名方式による制限も受けない。
【０１５８】
以下の前述の７つの実施形態には多くの共通部分があり、多くの技術的、効果的な共通点があるが、異なる構造を採用して実施する部分について、先に共通部分を下述する。各実施形態の図に示すように、前記貼付け式壁面保持構造は、メイン貼着部材１と、バックアップ貼着部材２と、安全機構３Ｍとを備える。メイン貼着部材１は、外物の支持に用いられる支持部１Ｂ及び壁面Ｗへの貼付に用いられる貼付部１１を含む。バックアップ貼着部材２は、壁面Ｗへの貼付に用いられる貼付部２１で構成される。安全機構３Ｍは、メイン貼着部材１とバックアップ貼着部材２との間に設置される交換装置３１Ｍを具備する。このような構成により、メイン貼着部材１及びバックアップ貼着部材２は、壁面Ｗの互いに近接される位置に貼着され、少なくとも以下の２つの形態の実施方式を有する。
【０１５９】
形態（Ａ）。メイン貼着部材１が壁面Ｗから脱離されて下に向けて脱落される場合、バックアップ貼着部材２が交換装置３１Ｍによりメイン貼着部材１が下に向けて脱落されるのを制止させると共に、バックアップ貼着部材２に適時交換されて前述の支持部１Ｂの保持を行う。
形態（Ｂ）。バックアップ貼着部材２は本来支持部１Ｂに接続されるが、但し、交換装置３１Ｍはこれを正式には作動させず、壁面に圧迫される。メイン貼着部材１が脱落された後に、支持作業がメイン貼着部材１からバックアップ貼着部材２に受け渡されて前述の支持部１Ｂの保持を行う。
【０１６０】
メイン貼着部材１及び支持部１Ｂは、固定式接続または非固定式接続である（例えば、重ね接続または掛け接続）。
【０１６１】
ある実施形態では、前述のメイン貼着部材１は支持部１Ｂまたは貼付部１１に接続される接続部１２を更に備え、接続部１２は制限するわけではないが、台座、接続バー、可撓性ベルト体、ばね、ソフトワイヤー、チェーン、接続ロッド、またはヒンジ或いはシャフトを有して擺動される接続部材等である。
【０１６２】
ある実施形態では、前述の支持部１Ｂは外物を保持、載荷、または放置させる形状や構造を有し、実施において、支持部１Ｂは制限するわけではないが、フック、ラック、壁掛け棚、フレーム状物品、タオル掛け、物入れ容器、物置棚、または壁面取っ手等である。
【０１６３】
ある実施形態では、前述のバックアップ貼着部材２は貼付部２１または支持部１Ｂに接続される接続部２２を更に備える。接続部２２は制限するわけではないが、台座、接続バー、可撓性ベルト体、ばね、ソフトワイヤー、チェーン、接続ロッド、またはヒンジ或いはシャフトを有して擺動される接続部材等である。
【０１６４】
ある実施形態では、また、前述の貼付部１１及び貼付部２１は、壁面Ｗに対する粘着、貼付、または吸着等の付着力を有する貼付物であり、実施において、貼付部１１及び貼付部２１は制限するわけではないが、吸盤、接着剤、ガスケット、粘着テープ、ステッカー、磁石、ホットメルト接着剤、面ファスナー等である。
【０１６５】
ある実施形態では、本発明に係るメイン貼着部材１には支持部１Ｂが接続され、支持部１Ｂにより外物が支持される。但し、メイン貼着部材１が壁面Ｗから脱落される場合、これに互いに接続される支持部１Ｂも脱落される事態を防ぐため、バックアップ貼着部材２が更に設置され、且つメイン貼着部材１とバックアップ貼着部材２との間には交換装置３１Ｍを備える安全機構３Ｍが設置される。バックアップ貼着部材２はメイン貼着部材１が壁面Ｗに正常に貼着される場合、予備となって未使用になり、直接使用されるメイン貼着部材１に近接される位置に付随して貼付される。前述の近接される位置とは、メイン貼着部材１の左側、右側、上方、下方等の周囲の位置を指す。接続されて一周取り囲んで、メイン貼着部材１が包囲されてもよい。これにより、メイン貼着部材１が使用過程において不注意により貼付部１１が壁面Ｗから脱離されることで下に向けて脱落される場合、バックアップ貼着部材２はすなわち、バックアップサポートの役割を果たし、メイン貼着部材１に代わって支持部１Ｂの支持作業を実行させる。
【０１６６】
ある実施形態では、バックアップ貼着部材２がメイン貼着部材１と交代する過程において、交換装置３１Ｍによりメイン貼着部材１及び支持部１Ｂが下に向けて脱落されるのを制止させる作業を確実に達成させる。実施において、安全機構３Ｍは、支持部１Ｂが壁面Ｗから脱離されて下に向けて脱落される場合に、端正な姿勢に保持させる案内装置を更に備え、支持部１Ｂが端正な姿勢に維持されるか、下落軌跡が短くなるか、揺れが減少されて、これに支持される外物の脱落を回避させる。また、安全機構３Ｍは、メイン貼着部材１が壁面Ｗから脱離されて下に向けて脱落される速度を緩めるために用いられ、及び／或いは支持部１Ｂの振動や揺れを減少させるためのバッファ装置、及び支持部１Ｂがメイン貼着部材１が壁面Ｗから脱離されるのに連れて下に向けて脱落される場合、警告情報を発生させる警告装置を更に含む。前記警告装置は、使用者に警告を掲示して、正常な状態に回復させ、メイン貼着部材１により支持部１Ｂが支持される正常な使用状態を回復させる。
【０１６７】
支持部１Ｂ及びメイン貼着部材１が互いに接続されるため、バックアップ貼着部材２は、メイン貼着部材１を制止させるのみならず、支持部１Ｂが下に向けて脱落されるのも制止させる。交換装置３１Ｍは、バックアップ貼着部材２の延伸物及びメイン貼着部材１（または支持部１Ｂ）の延伸物で構成される。また、前述の各接続構造の接続方式は、固定式接続に制限されず、分解可能接続方式が採用されてもよく、すなわち、各接続構造を分解及び組み立てできる。
【０１６８】
実施において、前述の交換装置３１Ｍは、“受け式交換装置”（第６実施形態参照）、“接続式交換装置”、または“圧迫‐解放式交換装置”（第１１実施形態及び第１３実施形態参照）に分けられる。第８実施形態においては受け式及び接続式交換装置を有し、第４実施形態、第９実施形態、及び第１０実施形態においては受け式及び圧迫‐解放式交換装置を有する。
【０１６９】
ある実施形態では、前述の受け式交換装置３１Ｍは、メイン貼着部材１に接続されると共に上部接続箇所を有する当接部、及びバックアップ貼着部材２に接続されると共に下部接続箇所を有する受け部を備える。受け式交換装置が採用される場合、メイン貼着部材１の位置は往々にしてバックアップ貼着部材２より高く、バックアップ貼着部材２がメイン貼着部材１より高い場合もある（例えば、第８実施形態参照）。下部接続箇所の位置は、上部接続箇所の位置より低い。
【０１７０】
ある実施形態では、前述の接続式交換装置は接続部材を備え、接続部材はメイン貼着部材１に接続される下部接続箇所、及びバックアップ貼着部材２に接続される上部接続箇所を有する。
【０１７１】
ある実施形態では、前述の圧迫‐解放式交換装置は、その支持部１Ｂが本来バックアップ貼着部材２に互いに接続され（或いは、上部接続箇所及び下部接続箇所が接続されている）、メイン貼着部材１、支持部１Ｂ、及びバックアップ貼着部材２の相互の位置関係によりバックアップ貼着部材２が壁面に圧迫されて正式に作動されない状態を保持させ、メイン貼着部材１が脱落された後にバックアップ貼着部材２により支持部１Ｂの支持を回復させる。
【０１７２】
ある実施形態では、前述の圧迫‐解放式交換装置は、その支持部１Ｂが本来バックアップ貼着部材２に互いに接続され（或いは、上部接続箇所及び下部接続箇所が接続されている）、弾性構造によりメイン貼着部材１が貼着される場合にバックアップ貼着部材２が壁面に圧迫されて正式に作動されない状態を保持させ、メイン貼着部材１が脱落された後にバックアップ貼着部材２により支持部１Ｂの支持を回復させる。
【０１７３】
また、前述の第１実施形態乃至第６実施形態において、第二接続箇所３２１の位置は第一接続箇所３１１の位置より低いため、第一接続箇所３１１は上部接続箇所と見做せ、第二接続箇所３２１は下部接続箇所と見做せる。また、第一接続箇所３３１の位置は第二接続箇所３３２の位置より低く、よって、第一接続箇所３３１は下部接続箇所と見做せ、第二接続箇所３３２は上部接続箇所と見做せる。
【０１７４】
実施において、前述の案内装置は、メイン貼着部材及びバックアップ貼着部材にそれぞれ設けられる被案内部及び案内部を備える。被案内部及び案内部は、互いに被装されると共に、対応し合って滑動される構造である。また、案内部は、メイン貼着部材１またはバックアップ貼着部材２に設置されると共に、メイン貼着部材１（支持部１Ｂ）の落下経路を制限させる１つまたは複数案内壁或いは案内面である（例えば、平面の斜面または弧状面）。或いは、バックアップ貼着部材２に設置される案内収納位置及び下に向けて脱落されるメイン貼着部材１を案内させて案内収納位置に到達させる案内面である（例えば、平面の斜面または弧状面）。前述の案内収納位置は、被案内部または当接部が下に向けて脱落される行程の終点に位置され（必ずしも案内部の下端に位置されるわけではなく、図１５を参照すると、制止板３１３の下の当接部３１により受け部３２の上面の案内収納位置に落着される）、被案内部、当接部３１、または（Ｔ型）スライダーが終点まで下降される場合、案内面により案内されて、（下端）が大きさが丁度いい案内収納位置に落着されて係合される。案内収納位置が端正な姿勢であるために、被案内部、当接部３１、または（Ｔ型）スライダー４４が端正な姿勢になり、すなわち、支持部１Ｂが端正な姿勢になる。
【０１７５】
実施において、前述のバッファ装置は、制限するわけではないが、クッションパッド、ダンプ装置、または摩擦部材である。実施においては、クッションパッドが採用されてバッファ装置となると、クッションパッドがメイン貼着部材１またはバックアップ貼着部材２に接続される。
【０１７６】
バックアップ貼着部材２がメイン貼着部材１に代わって支持部１Ｂの支持を行うのは臨時の措置であり、前述の警告装置は、メイン貼着部材１及び支持部１Ｂが壁面Ｗから脱離されて脱落される場合に警告情報を発生させ、回復させるように使用者に提示し、メイン貼着部材１により支持部１Ｂが保持される正常な使用状態を回復させる。実施において、前述の警告装置は警告情報を表示させる警告情報表示部材であり、前述の警告情報はメイン貼着部材１が壁面Ｗに貼付される場合は隠され、且つメイン貼着部材１が壁面Ｗから脱離された後に露出される。実施において、警告情報表示部材は、バックアップ貼着部材２に接続され、或いはメイン貼着部材１により遮蔽される位置に設置される。また、警告装置は、警告信号を発信させる電子式警報器でもよい。
【０１７７】
ある実施形態では、前記保持構造は、壁面に接触されるための接触部を更に備え、前記支持部が前記接触部に接続されて前記保持部により支持される外物が受ける力が前述の接触部に伝達され、前記接触部が壁面に圧迫される。
【０１７８】
ある実施形態では、前記保持構造は支持フレームを更に備え、前記接触部は前記支持フレームを介して前記支持部に接続される。
【０１７９】
ある実施形態では、前記接触部が壁面に当接される壁面の位置から前記保持部が外縁を載荷させるまでの横方向の距離をｄａとし、前記支持部が外物を載荷させる際の予測される受力中心位置から壁面までの横方向の距離をｄ１とし、前記接触部が壁面に当接される壁面の位置から前記メイン貼着部材の貼着中心までの縦方向の距離をｄ２とし、０．２≦ｄ１／ｄ２≦３の関係式を満たし、ｄ１≦ｄａである。
【０１８０】
ある実施形態では、前記交換装置は、前記メイン貼着部材の前記貼付部と前記バックアップ貼着部材の前記貼付部との間に設置される弾性部を備える。前記メイン貼着部材の前記貼付部が壁面に貼着される場合、前記弾性部の弾力は壁面に貼着される前記メイン貼着部材の前記貼付部を介して前記バックアップ貼着部材の前記貼付部を壁面に向けて圧迫させる。
【０１８１】
ある実施形態では、前記交換装置は、前記バックアップ貼着部材の前記貼付部と前記メイン貼着部材の前記支持部との間に接続される弾性部を備える。前記メイン貼着部材の前記貼付部が壁面に貼着される場合、前記弾性部の弾力は、壁面に貼着される前記メイン貼着部材の前記貼付部を介して前記メイン貼着部材の前記保持部を経て前記バックアップ貼着部材の前記貼付部を壁面に向けて圧迫させる。前記交換装置は前記保持部に接続される受け点を有し、前記保持構造が壁面に貼付される状態では、前記メイン貼着部材の前記貼付部が壁面に貼付される場合、前記交換装置の前記受け点が第一位置に位置される。前記メイン貼着部材の前記貼付部が壁面から脱落されると、前記交換装置の前記受け点が前記第一位置よりも低い第二位置に位置される。
【０１８２】
ある実施形態では、前記保持構造は位置変位機構を更に備え、前記位置変位機構は、前記メイン貼着部材の前記貼付部または前記バックアップ貼着部材の前記貼付部に接続されると共に、壁面に当着されるための当着部材を有する。前述の貼付け式壁面保持構造が壁面に貼付される場合、前記位置変位機構は、前記当着部材により壁面に向けて圧迫される際に変位され、前記メイン貼着部材の前記貼付部と前記バックアップ貼着部材の前記貼付部との間の距離が開くことにより壁面に貼付される。
【０１８３】
ある実施形態では、前記メイン貼着部材は、前記メイン貼着部材の前記貼付部と前記支持部との間に接続される接続部を更に備える。前記メイン貼着部材が壁面に貼付されて前記バックアップ貼着部材が前記壁面の前記メイン貼着部材の下方に貼付される場合、前記支持部が前記メイン貼着部材の前記接続部の下方に位置される。前記保持部は、前記メイン貼着部材の前記接続部及び前記交換装置により、前記保持部に支持される外物が受ける力を前記バックアップ貼着部材に伝達させて、前記バックアップ貼着部材を前記壁面に向けて圧迫させる。
【０１８４】
ある実施形態では、前記メイン貼着部材は、前記接続部が摩擦部材を更に備え、前記メイン貼着部材の接続部には、下に向けて延伸されて壁面に接触される前記摩擦部材が設置される。前記メイン貼着部材が壁面に貼付される場合、前記摩擦部材により前記メイン貼着部材が下に向けて脱落されるのが阻止される。
【０１８５】
ある実施形態では、前述の安全機構は、（１）交換装置、（２）案内装置、（３）バッファ装置、（４）警告装置の内の少なくとも１つを備える。交換装置について、以下で更に説明する。
前述の交換装置の作業は、支持部に接続されるメイン貼着部材が壁面から脱離されて下に向けて脱落される場合、バックアップ貼着部材に適時交換されて前記支持部の支持を行う。前述の“交換”とは、保持部は本来メイン貼着部材によりその負荷が保持され、バックアップ貼着部材が補助や予備の役割に当たるが、メイン貼着部材が脱落された後にバックアップ貼着部材に交換されてその負荷を受けることを指す。（Ａ）制止による接続、（Ｂ）圧迫‐解放の２つの形態に分けて説明する。形態（Ａ）について言えば、交換される過程が制止及び接続に分けられる。制止方式は“引っ張ることによる制止”及び“止めることによる制止”に更に分けられるが、“引っ張ることによる制止”及び“止めることによる制止”はどちらも抵抗力により制止させることであり、力を掛ける点が異なるため、上述の抵抗力が引張力（引張抵抗力）及び阻止力（阻止抵抗力）と呼ばれる。
【０１８６】
制止が達成されると、正式に接続が開始され、未接続の場合は、メイン貼着部材が正式に使用される。接続される場合、メイン貼着部材が脱落されており、バックアップ貼着部材が正式に使用される。
【０１８７】
“止めることによる制止”が採用される場合、構造上メイン貼着部材または支持部に位置される上部接続箇所が、バックアップ貼着部材に位置される下部接続箇所より高くなり、下方の下部接続箇所が上方の上部接続箇所に接触されて接続された後、バックアップ貼着部材は、メイン貼着部材または支持部が下に向けて脱落されるのを止めることにより制止させる。すなわち、バックアップ貼着部材により保持部が受け止められる。
【０１８８】
“引っ張ることによる制止”が採用される場合、接続部材が支持部（メイン貼着部材）とバックアップ貼着部材との間に接続され、接続部材及び支持部（メイン貼着部材）の下部接続箇所がバックアップ貼着部材の上部接続箇所より低くなる。接続部材（引張力を受ける）が緊縮または全伸張される場合、上方のバックアップ貼着部材の上部接続箇所は、接続部材により下方の支持部（メイン貼着部材）の下部接続箇所が引っ張られ、すなわち、バックアップ貼着部材が支持部に接続され、支持部が下に向けて脱落されるのが引っ張られることにより制止される。
【０１８９】
形態（Ｂ）の“圧迫‐解放式交換”は（第４実施形態（図１６）、第９実施形態乃至第１２実施形態において（図３８、図４２、図４４、図４５、図４９、図５１）参照）、保持部が本来バックアップ貼着部材に互いに接続され（活動的接続）、但し、メイン貼着部材が貼着される場合は支持部が支持され、Ｉ．位置関係によりバックアップ貼着部材の圧迫‐解放が達成され、ＩＩ．弾性構造によりバックアップ貼着部材の圧迫‐解放が達成される。Ｉ型は、メイン貼着部材の下方に保持部及び壁面に貼着されるバックアップ貼着部材を有し、保持部の位置が壁面の外に向けて延出されてメイン貼着部材を超える。バックアップ貼着部材は、支持部がメイン貼着部材に接続されることにより、メイン貼着部材が貼着である場合、支持部と共にバックアップ貼着部材が壁面に挟まれ、バックアップ貼着部材が正式に使用されない状態を呈して壁面に圧迫され（上部接続箇所及び下部接続箇所は本来接続されており、但し、バックアップ貼着部材が壁面に圧迫されるため載荷が実行されない）る。メイン貼着部材が脱落されて壁面への圧迫から解放され、保持部と互いに接続されるバックアップ貼着部材により前述の保持部が保持される。ＩＩ型は、弾性構造は、メイン貼着部材１が貼着される場合にバックアップ貼着部材２が壁面に圧迫され、正式に使用されない状態を呈する（上部接続箇所及び下部接続箇所は本来接続されて一体となっており、但し、バックアップ貼着部材が壁面に圧迫されるため載荷が実行されない）。メイン貼着部材１が脱落された後に、バックアップ貼着部材２により前述の支持部１Ｂが保持される。
【０１９０】
上述のＩ型及びＩＩ型は同時に装置中に存在してもよく、（Ａ）制止による接続式構造を更に加えてもよい。例えば、第４実施形態はＩ型及び止めることによる制止構造を備える。
【０１９１】
以下では７つの具体的な実施形態を提供し、すなわち、第７実施形態乃至第１３実施形態に基づいて本発明のある実施方式について説明する。よって、これらの実施形態は各種の変化を加えることができ、その結果は本発明の範囲内に含まれる。本文で述べる具体的な実施形態は条件の制限を意図したり推定させたりするものではない。
【０１９２】
（第７実施形態）
図３１乃至図３３は、本発明に係る貼付け式壁面保持構造の第７実施形態の構造を図示する。本実施形態の図示において、支持部１Ｂはフックであり、メイン貼着部材１の貼付部１１は吸盤である。バックアップ貼着部材２の貼付部２１はステッカーであり、円盤状の造型を呈するバックアップ貼着部材２の下表面は円形平面であり、貼付部（ステッカー）２１の上表面に接続されて固定される。
【０１９３】
前述のバックアップ貼着部材２は貼付部２１により壁面Ｗに貼付され、貼付部２１はステッカーであり、ステッカーはメイン貼着部材１に貼付位置を提供するメイン貼付物位置ｐを有する。図に示すように、メイン貼付物位置ｐは、貼付部２１の側辺の切り欠きであり（図３１参照）、貼付部２１に設けられる閉鎖孔でもよく（図３１に二点の破線で示す）、メイン貼着部材１がメイン貼付物位置ｐ中に収納されると共に壁面Ｗに貼付される。また、メイン貼付物位置ｐは、貼付部（ステッカー）２１の表面上に直接標示される指示符号でもよく、メイン貼着部材１が貼付部（ステッカー）２１の表面の指示符号により指定される位置に貼付され、貼付部２１により壁面Ｗに間接的に貼付される。
【０１９４】
本実施形態では、安全機構３Ｍは、交換装置３１Ｍ及び案内装置３２Ｍを備える。交換装置３１Ｍは伸縮構造３１４Ｍを有し、伸縮構造３１４Ｍは滑塊３１４１Ｍ及び（Ｔ型）滑動溝３２１Ｍの組合せであり、支持部１Ｂが端正な姿勢での垂直昇降に限定される。実施において、昇降距離は適切な短距離に限定され、衝撃及び振動の発生が減少され、優良なクッションパッドが設置されて振動が更に減少される（当接部３１２Ｍまたは受け部３１３Ｍに設置される）。これにより、安定的で安全な安全機構３Ｍとなる。支持部が盤状物、物置棚等であり、保持される外物が容易に脱落される場合、本実施形態の構造が採用される。
【０１９５】
前述の交換装置３１Ｍの作業は、支持部１Ｂを有するメイン貼着部材１が壁面Ｗから脱離されて下に向けて脱落される場合、バックアップ貼着部材２に適時交換されて支持部１Ｂが保持される。いわゆる“交換”は制止及び接続２つの段階に分けられる。本実施形態は、止めることによる制止により、制止が達成されると、交換装置３１Ｍの作業が完了して正式に接続され、未接続の場合はメイン貼着部材１が正式に使用される。接続される場合、メイン貼着部材１が脱落されているため、バックアップ貼着部材２が正式に作動される。
【０１９６】
図３１乃至図３８に示すように、本実施形態に係る交換装置３１Ｍは、“受け式交換装置”である。前述の受け式交換装置３１Ｍは、メイン貼着部材１に接続されると共に上部接続箇所３１２ＭＵ（図３３では、接続部１Ａの接続ブロック１Ａ４の内部上面に位置され、ガイドレール３１４１Ｍの表面に対向される）を有する当接部３１２Ｍ、及びバックアップ貼着部材２に接続されると共に下部接続箇所３１３ＭＤ（図３３では、（Ｔ型）ガイドレール３１４１Ｍの上端）を有する受け部３１３Ｍを備える。下部接続箇所３１３ＭＤの位置は上部接続箇所３１２ＭＵの位置より低く、バックアップ貼着部材２はメイン貼着部材１の下方に位置される。メイン貼着部材１が壁面に固着される場合、伸縮構造３１４Ｍが引っ張られ、上部接続箇所３１２ＭＵ及び下部接続箇所３１３ＭＤが図３３に示すように離されて、メイン貼着部材１が脱落される。そうすると、伸縮構造３１４Ｍが収縮され、スライド溝３２１Ｍが下降されて当接部３１２Ｍが受け部３１３Ｍに当接され、上部接続箇所及び下部接続箇所が接続され、この際に支持部１Ｂはバックアップ貼着部材２により保持される。
【０１９７】
前述の案内装置３２Ｍは、メイン貼着部材１及びバックアップ貼着部材２にそれぞれ設けられる被案内部及び案内部を備える。被案内部はスライド溝３２１Ｍがある接続ブロック１Ａ４であり、案内部はバックアップ貼着部材２に接続されるガイドレール３１４１Ｍである。このように、ガイドレールは、スライド溝３２１Ｍがある接続ブロック１Ａ４が下に向けて脱落される経路を制限させ、メイン貼着部材１の落下過程において支持部１Ｂが端正な姿勢に維持される。当接部３１２Ｍが更に設置される接続ブロック１Ａ４の上部接続箇所３１２ＭＵと受け部３１３Ｍの上端の下部接続箇所との間の距離は短い。このため、下落行程が短くなり、振動が減少され、支持部１Ｂにより支持される外物が脱落しなくなる。
【０１９８】
本実施形態では、メイン貼着部材１は、警告情報表示部材の機能を有する。メイン貼着部材１が壁面Ｗから脱離されて脱落された後、接続部材１Ａ４１（例えば、チェーン、接続リング、またはヒンジ或いはシャフトを有して擺動される接続部材）、接続ブロック１Ａ４で構成される接続部１Ａが自由状態に回復されると、脱落された吸盤（貼付部１１）が見つけやすい場所に落着される。これは、支持部１Ｂの使用に対して邪魔になる場所であり、警告及び暫定的な使用停止のメッセージがはっきりと伝達され、第一時間に発見されて回復作業を行えるようになる。
【０１９９】
（第８実施形態）
図３４乃至図３６は、本発明に係る貼付け式壁面保持構造の第８実施形態の構造を図示する。本実施形態の図示において、バックアップ貼着部材２は上になり、メイン貼着部材１は下になる。支持部１Ｂはステッカー式吸盤の吸盤ヘッドであり、メイン貼着部材１の貼付部１１はステッカーである。バックアップ貼着部材２の貼付部２１もステッカーである。メイン貼着部材１は円盤状の造型を呈する接続部（台座）１Ａを更に備え、バックアップ貼着部材２は円盤状の造型を呈する接続部（台座）２Ａを更に含む。
【０２００】
本実施形態に係る交換装置３１Ｍは、“受け式交換装置”である。図３４に示すように、ガイドレール３１４１Ｍは扁長で少し柔軟な湾曲性を有するガイドレールであり、ガイドレール下端３１４１１Ｍはメイン貼着部材１の接続部（台座）１Ａに接続され、ガイドレール３１４１Ｍの上端３１４１２Ｍはスライド溝３２１Ｍ（案内に用いられる案内溝）の溝孔を穿通させた後に当接部３１２Ｍに接続され、案内溝の上端は受け部３１３Ｍである。図３４及び図３５に示すように、当接部は案内溝の溝孔より大きく、受け部に制止されて案内溝を通過できなくなる。ガイドレール３１４１Ｍの長さは、受け部３１３Ｍからガイドレール下端３１４１１Ｍまでの距離より長く、このため、ガイドレールは上下に伸縮される活動空間を有する。本実施形態では、上部接続箇所３１２ＭＵは当接部３１２Ｍに位置され（下方に位置されるメイン貼着部材１に互いに接続される）、下部接続箇所３１３ＭＤは受け部３１３Ｍに位置される（上方に位置されるバックアップ貼着部材２に互いに接続される）。メイン貼着部材１が壁面から脱落される場合、ガイドレール及びその上端の当接部３１２Ｍが下降されて受け部３１３Ｍに接触され、上部接続箇所３１２ＭＵが下部接続箇所３１３ＭＤに接続される。これにより、バックアップ貼着部材２が支持部１Ｂに接続され、バックアップ貼着部材２に交換されて前記保持部の保持を行う。
【０２０１】
本実施形態の構造において、安全機構３Ｍは交換装置３１Ｍ及び案内装置３２Ｍを備え、両者は相互に組み合わせられる。支持部１Ｂに接続されるメイン貼着部材１が下に向けて脱落される場合、交換装置３１Ｍのストッパー構造及び案内装置３２Ｍの案内構造により、メイン貼着部材１及び支持部１Ｂが制限されて壁面に平行に擺動できなくなり、壁面から脱離される方向にのみ少し起伏して擺動されて下降され、且つ交換装置３１Ｍにより止められて制止されることにより、安全効果が達成される。
【０２０２】
本実施形態では、交換装置３１Ｍは、ガイドレール３１４１Ｍと、その上端の当接部３１２Ｍと、スライド溝３２１Ｍの上方に位置される受け部３１３Ｍとを備える。メイン貼着部材１が脱落されると、当接部３１２Ｍが下降されて受け部３１３Ｍの上面に係合され、上部接続箇所及び下部接続箇所が接続されて、ガイドレール及びメイン貼着部材１が受け止められ、バックアップ貼着部材２が正式に作動され始め、支持部１Ｂの支持を行う。
【０２０３】
本実施形態では、案内装置３２Ｍはガイドレール３１４１Ｍを備え、スライド溝３２１Ｍは前述のように、一定程度の案内効果を有し、このような案内装置が適合する製品に提供または運用される。
【０２０４】
本実施形態では、安全機構３Ｍは、警告メッセージ表示機能を有するように設計される。例えば、図３４に示すように、スライド溝３２１Ｍにより遮蔽されるガイドレール上端３１４１２Ｍに、部分的に図や文字、色が印刷される。メイン貼着部材１が脱落された後、本来遮蔽されるガイドレール上端３１４１２Ｍがガイドレールに連れられて下に滑動されることにより露出され、前記警告情報が表示され、使用者能が発見した後に回復作業を行えるようになる。また、メイン貼着部材１は外物を支持させるために壁面から徐々に分離されてゆくと、ガイドレールが湾曲及び弾性を有するため、ガイドレール下端３１４１１Ｍが引っ張られて壁面から脱離されるレベル方向に変位が発生する。このレベル方向の変位ではバックアップ貼着部材２が引っ張られず、メイン貼着部材１が脱落された後、バックアップ貼着部材２の使用が開始される。これにより、バックアップ貼着部材２の全貼着寿命が警告時期に使用される。
【０２０５】
また、他の例において、図３４のメイン貼着部材１が吸盤に変更されてもよい。
【０２０６】
（第９実施形態）
図３７乃至図４０は、本発明に係る貼付け式壁面保持構造の第９実施形態の構造を図示する。本実施形態の図示において、支持部１Ｂはフックとして描かれ、メイン貼着部材１の貼付部１１及びバックアップ貼着部材２の貼付部２１は吸盤として描かれる。本実施形態と前述の第７実施形態との構造の主な差異は、支持部１Ｂとメイン貼着部材１、バックアップ貼着部材２との間の接続機構にある。
【０２０７】
図３８に示すように、メイン貼着部材１の接続部１Ａは、接続ヘッド１Ａ１と、接続ヘッドとメイン貼着部材の貼付部１１との間に接続される接続ネック部１Ａ１１と、接続ネック部に位置される接続軸穴１Ａ１２と、接続部材１Ａ４１（図中では方形の接続リングを例として示す）と、接続ロッド１Ａ４２と、接続ブロック１Ａ４とを備える。接続部材１Ａ４１は接続ネック部１Ａ１１の接続軸穴１Ａ１２を貫通させて前記孔中で回転を行い、接続部材１Ａ４１の他辺は接続ロッド１Ａ４２の上溝孔１Ａ４２１を貫通させて接続ロッドに接続されて前記上溝孔中で上下に活動を行い、接続ロッド１Ａ４２及び接続ブロック１Ａ４は固式方式で接続される。
【０２０８】
バックアップ貼着部材２の接続部２Ａは、横方向に穿設される前ガイドピン３１４２Ｍを備える。後部補助ピン３１４３Ｍは、やや控え壁形状を呈する板状の接続ヘッド２Ａ１であり、接続ヘッドとバックアップ貼着部材の貼付部２１との間の接続ネック部２Ａ１１に位置される。接続ロッド１Ａ４２及び支持部１Ｂに接続される接続ブロック１Ａ４は、中間に平らな溝１Ａ４３及び前記平らな溝に十字に交差されるスライド溝３２１Ｍを有する（ここでは、異形溝を例にする）。これにより、前ガイドピン３１４２Ｍ及び後部補助ピン３１４３Ｍがスライド溝３２１Ｍ中で上下に滑動される際に、接続ヘッド２Ａ１も同時に平らな溝１Ａ４３中で上下に滑動されて傾斜はしない。
【０２０９】
接続ヘッド２Ａ１は方形の接続ネック部２Ａ１１を介してバックアップ貼着部材２の貼付部２１に接続され、接続ブロック１Ａ４は支持部１Ｂに接続されて固定される。これにより、貼付部２１が壁面に固着される場合、支持部１Ｂは昇降に際して傾斜しないように制限される。
【０２１０】
本実施形態では、交換装置３１Ｍは、上述のメイン貼着部材の接続部１Ａ及びバックアップ貼着部材の接続部２Ａを備える。メイン貼着部材１が脱落されそうになってから脱落を開始するまでの間に壁面から徐々に離れてゆく。この際、スライド溝３２１Ｍの中間部には幅広の活動室３２３Ｍを有し、前ガイドピン３１４２Ｍがその中で活動でき、メイン貼着部材１が左向きに変位されることで（図３９参照）支持部１Ｂが僅かに傾斜されると、バックアップ貼着部材２は反時計回り方向に反転されずにこれに力が掛けられる。これにより、バックアップ貼着部材は、メイン貼着部材の脱落前に壁面から脱落される力から保護されて、その全ての貼着寿命が保留され、メイン貼着部材が脱落された後に正式に作動される。
【０２１１】
受け式交換装置３１Ｍについて、スライド溝３２１Ｍ（案内に用いられる案内溝と見做せる）内のヘッド３２１１Ｍの上面部分は当接部に属し（例えば、当接部は接続ブロック１Ａ４を備える）、スライド溝３２１Ｍ内の上面は上部接続箇所３１２ＭＵである。前ガイドピン３１４２Ｍは受け部に属し（例えば、受け部は接続ヘッド２Ａ１及び前ガイドピン３１４２Ｍを含む）、前ガイドピン３１４２Ｍの上表面は下部接続箇所３１３ＭＤであり、下部接続箇所３１３ＭＤの位置は上部接続箇所３１２ＭＵの位置より低い。支持部１Ｂが接続されるメイン貼着部材１が壁面Ｗから脱離されて脱落される場合、接続ブロック１Ａ４のスライド溝３２１Ｍが先に左に向けて傾斜された（図３９参照）後に下降され、当接部も共に下降されて受け部により止められて制止され、上部接続箇所３１２ＭＵが下部接続箇所３１３ＭＤに接続される。未接続の場合は、メイン貼着部材１が正式に使用される。接続される場合、メイン貼着部材１が脱落されており、バックアップ貼着部材２が正式に作動されて交代して支持部１Ｂ及び支持部１Ｂにより支持される外物の支持を行う。
【０２１２】
このような構成により、交換装置３１Ｍの当接部及び受け部により、メイン貼着部材１が使用過程において貼付部１１が壁面Ｗから脱離されることで下に向けて脱落される場合、バックアップの防護機制が提供され、且つバックアップ貼着部材２に交換されて支持部１Ｂ及び支持部１Ｂにより支持される外物の支持が行われる。
【０２１３】
本実施形態に係る交換装置は、圧迫‐解放式交換装置を備え、図３８を参照して説明する。メイン貼着部材１が壁面Ｗに貼着される場合、左に向けて延出される支持部１Ｂが外物の下に向ける重力ＷＴを受けて反時計回り方向のトルクＴが形成される。トルクＴにより接続部材１Ａ４１に対する左向きに引っ張る引張力、及び前ガイドピン３１４２Ｍ及び後部補助ピン３１４３Ｍに対する右向きの圧力（主に後部補助ピン）Ｆが生じ、この壁面に向けて圧迫させる力Ｆにより吸盤２が壁面に圧迫される。メイン貼着部材１が脱落される前に、吸盤２は外物の重力を負担させないのみならず、壁面Ｗにきつく圧迫され、十分な圧力があれば未作動状態に保持される。メイン貼着部材１が脱落され、バックアップ貼着部材２が解放された後に使用が開始され、これにより、メイン貼着部材１が脱落された後にバックアップ貼着部材２の全ての貼着寿命が使用される。よって、バックアップ貼着部材２が支持部１Ｂを保持できる時間が長くなり、使用者により正常に回復されるために十分であり、よって高い安全性を有する。
【０２１４】
本実施形態は実施において、バッファ装置が加えられる。例えば、スライド溝３２１Ｍが適切に短縮されることにより、当接部と受け部との間の距離が短くなり、すなわち、上部接続箇所３１２ＭＵ及び下部接続箇所３１３ＭＤが接近される。これにより、支持部１Ｂの下落行程が短くなり、更には、当接部と受け部との間に優良なクッションパッドが設置されることにより、衝撃及び振動の発生が減少され、支持部１Ｂにより支持される外物の脱落が回避され、安定的で安全な安全機構３Ｍとなる。本実施形態では、案内装置３２Ｍは接続ブロック１Ａ４に内設されるスライド溝３２１Ｍと、案内面３２２Ｍと、接続ヘッド２Ａ１に設置される前ガイドピン３１４２Ｍと、後部補助ピン３１４３Ｍとを備える。スライド溝３２１Ｍ、及び案内面３２２Ｍが設けられる接続ブロック１Ａ４は被案内部となり、前ガイドピン３１４２Ｍ、及び後部補助ピン３１４３Ｍが設置される接続ヘッド２Ａ１は案内部となる。前述のように、メイン貼着部材１が壁面から脱落される場合、スライド溝３２１Ｍが先ず左に向けて傾斜（図３９参照）された後に下降される。傾斜される案内面３２２Ｍが前ガイドピン３１４２Ｍに接触されると共に継続して下降されると、前ガイドピン３１４２Ｍによりスライド溝３２１Ｍ、接続ブロック１Ａ４、及び支持部１Ｂが右に向けて端正な姿勢に回復される。
【０２１５】
本実施形態では、メイン貼着部材１は、警告装置に属する警告情報表示部材の機能を有する。メイン貼着部材１が壁面Ｗから脱離されて下に向けて脱落される場合、接続部材１Ａ４１（例えば、接続リング）は接続ロッド１Ａ４２の溝孔１Ａ４２１に沿って下落され、貼付部１１が見つけやすい場所に落着される。これは、支持部１Ｂの使用に対して邪魔になる場所であり、警告及び暫定的な使用停止のメッセージがはっきりと伝達され、メイン貼着部材１が壁面Ｗから脱離された後に、警告情報が掲示されることにより、使用者が第一時間に発見して回復作業を行えるようになる。また、他の例では、図３７に示すように、メイン貼着部材１及びバックアップ貼着部材２の何れか１つが前述の第７実施形態の様式に基づいて変更される。
【０２１６】
（第１０実施形態）
図４１Ａ乃至図４３は、本発明に係る貼付け式壁面保持構造の第１０実施形態の構造を図示する。本実施形態の図示において、メイン貼着部材１の支持部１Ｂ、貼付部１１、及びバックアップ貼着部材２は、全て第９実施形態の対応される部分に相似する。本実施形態と第９実施形態との構造上の差異は、（１）本実施形態に係るメイン貼着部材１の接続部１Ａに異なる構造が採用されてメイン貼着部材の脱落を警告する作用が達成される点、及び（２）本実施形態では壁面に接触される接触部を更に備え、支持部１Ｂは接触部に接続されて支持部１Ｂにより支持される外物が受ける力が前述の接触部に伝達され、接触部が壁面に圧迫される点である。
【０２１７】
接触部について、ある実施形態では、保持構造は支持フレームを更に備え、接触部は支持フレームを介して支持部１Ｂに接続される。支持フレームは可動であり、弾性部材が更に設置されて、前述の接触部が壁面に当接される。また、構造が簡略化される。部材を減少させる場合、支持フレームは支持部１Ｂまたはメイン貼着部材１に完全に固定されるか、部分的に接続されて固定される。他の実施形態では、前述の接触部が壁面に当接される壁面の位置から支持部の外縁が最大限載荷されるまでの横方向の距離をｄａとし、前記支持部が外物を載荷させる場合の予測される受力中心位置から壁面までの横方向の距離をｄ１とし、接触部が壁面に当接される壁面の位置（支持パッド１Ａ５３の箇所）からメイン貼着部材１の貼着中心までの縦方向の距離をｄ２とし、０．２≦ｄ１／ｄ２≦３の関係式を満たし、ｄ１≦ｄａである。図４２の例において、ｄ１＝ｄａ／２と設定される。上述の支持部の外縁の最大限の載荷は、保持部により外物が載荷される領域であり、壁面から最も遠い辺縁は支持部の外縁の最大限の載荷と呼ばれる。また、メイン貼着部材１の貼着中心は、メイン貼着部材１により提供される支持力の中心位置であり、メイン貼着部材１が壁面に貼付される領域内に位置される。図４２に示すように、メイン貼着部材１の貼着中心は、メイン貼着部材１の貼付部１１が壁面に貼付される領域の中心点であり、すなわち、貼付部１１の中心である。一般的には、貼着部材の貼付領域または貼付方式に違いがあるため、貼着中心は、貼付される領域の中心点以外にも、前述の領域の範囲内でもよい。
【０２１８】
図４１Ａ乃至図４１Ｂ及び図４２に示すように、本実施形態に係るメイン貼着部材１の接続部１Ａは、接続ヘッド１Ａ１と、接続部材１Ａ４１（例えば、接続リング）と、接続ロッド１Ａ４２と、接続ブロック１Ａ４とを備える。接続貼付部１１の接続ヘッド１Ａ１は、接続部材１Ａ４１（例えば、接続リング）を介して接続ロッド１Ａ４２に接続される。接続ヘッド１Ａ１は、接続ヘッドとメイン貼着部材の貼付部１１との間に接続される接続ネック部１Ａ１１、及び接続ネック部に位置される接続軸穴１Ａ１２を備える。図４１Ａ及び図４１Ｂにおいて、接続部材１Ａ４１は、方形の接続リングを例にする。接続部材１Ａ４１は接続ネック部１Ａ１１の接続軸穴１Ａ１２を貫通させて前記孔中で回転を行い、接続部材１Ａ４１の他辺は接続ロッド１Ａ４２の溝孔（異形溝）１Ａ４２１を貫通させて接続ロッドに接続されて前記溝孔中で活動を行う。接続ロッド１Ａ４２はややＹ字型を呈し、接続ロッド１Ａ４２は２つの円柱状の短軸１Ａ４２２を有し、短軸が接続ブロック１Ａ４の両側の短軸孔１Ａ４２３に挿入されることで、接続ロッド１Ａ４２が擺動される。図４２に示すように、溝孔１Ａ４２１は、壁面に対して外に向けて傾斜される部分を有する。よって、貼付部１１が脱落される場合、案内貼付部１１、接続ロッド１Ａ４２、及び支持フレーム１Ａ５が図４３に示すような折り畳み状を呈し、メイン貼着部材の脱落を警告する作用を達成させる。
【０２１９】
例えば、支持フレームは支持フレーム本体及び壁面に接触される接触部（支持パッド１Ａ５３の箇所）を備え、支持フレーム本体はメイン貼着部材に接続される。前述の保持部は、支持フレーム本体により支持される外物が受ける力を前述の接触部に伝達させて接触部（支持パッド１Ａ５３）を壁面に圧迫させる。なお、例えば、前述の支持フレーム本体は可動方式でメイン貼着部材に接続され、前述の保持構造は、メイン貼着部材と支持フレームとの間に接続される弾性部材を更に備え、前記弾性部材により前記支持フレームの接触部が壁面に当接される。
【０２２０】
支持フレームの具体例について、図４１、図４１Ｂ及び図４２に示すように、本実施形態に係るメイン貼着部材１は、支持フレーム１Ａ５を更に備える。支持フレーム１Ａ５は、可動方式で接続部１Ａに接続され、且つ壁面Ｗへの当接に用いられ、これにより、壁面Ｗに垂直力が施される。支持フレーム１Ａ５は、支持用リブ１Ａ５１及び支持レール１Ａ５２を備え、支持フレーム１Ａ５の接触部は支持パッド１Ａ５３を含む。支持用リブ１Ａ５１は、接続部材１Ａ４１（例えば、接続リング）により接続ロッド１Ａ４２に被着される。支持レール１Ａ５２には２本の持用リブ１Ａ５１が接続されて、支持フレーム１Ａ５の構造全体が堅固になる。２つの支持パッド１Ａ５３は、支持用リブ１Ａ５１の両末端に設置され、壁面Ｗへの当接に用いられる。
【０２２１】
なお、支持フレーム１Ａ５を壁面Ｗに当接させるため、本実施形態に係るメイン貼着部材１は、１つまたは複数の弾性部材１Ａ６を更に備える。弾性部材１Ａ６は、引張力を発生させる弾性部材であり、例えば、引張バネ、ねじりバネ、または他のばねが使用され、接続部１Ａ（図では接続ヘッド１Ａ１として図示する）と支持フレーム１Ａ５との間に設置される。第一正常な使用では、支持フレームの末端接触部の支持パッド１Ａ５３が壁面Ｗに接触されるように確保され、図では、引張バネとして描かれ、引っ張られることにより支持パッド１Ａ５３を壁面に向けて圧迫させる。
【０２２２】
図４２では、支持部１Ｂが重力を受けると、支持用リブ１Ａ５１の上端Ｐ１が下に向けて引かれ、支持用リブ１Ａ５１及び支持パッド１Ａ５３により垂直力が壁面Ｗに掛けられ、壁面Ｗが支持パッド１Ａ５３に対して壁面Ｗに平行且つ上方向の静摩擦力を発生させる。これにより、支持部１Ｂが受ける重力の一部分または全部が打ち消される。実務上、適合する摩擦係数を有する物質または材料が選択されて支持パッド１Ａ５３が製造され（例えば、ゴムやシリコン）、必要な静摩擦力を発生させる。本実施形態は、上述の例の支持フレーム及び弾性部材の制限を受けず、他の例では、上述の関係式０．２≦ｄ１／ｄ２≦３を満たせばよく、あらゆる大きさ、数量、或いは幾何形状の支持フレーム１Ａ５、弾性部材１Ａ６、接続部１Ａ、またはこれらの組み合わせでもよい。更には、支持部１Ｂと支持パッド１Ａ５３（接触部）との間で支持フレーム１Ａ５、弾性部材１Ａ６、或いは接続部１Ａが放棄されたものでもよく、どれも本実施形態に基づいて発生した例である。例えば、支持フレーム１Ａ５の支持フレーム本体、すなわち、支持用リブ１Ａ５１及び支持レール１Ａ５２が三角フレームに変更されてもよく、且つ三角フレームの直角辺が支持パッド１Ａ５３として使用され、支持パッド１Ａ５３は壁面Ｗに多くの接触面積を有する。また、支持フレーム１Ａ５と接続部１Ａとの間がねじりバネに変更されて接続されてもよい。更には、支持用リブ１Ａ５１が曲がりくねる、湾曲形状、或いは弧形に設計されてもよい。なお、保持構造が壁面に接触される接触部を更に備えてさえいれば、支持部１Ｂと接触部とを接続させ、支持部１Ｂにより支持される外物が受ける力を前述の接触部に伝達させ、接触部を壁面に圧迫させる、あらゆる構造が全て本発明の実施形態と見做せる。
【０２２３】
さらに、本実施形態では、安全機構３Ｍは交換装置３１Ｍ及び案内装置３２Ｍを備え、これは第９実施形態の対応される部分に相似する。相違する部分は、本実施形態に係る案内装置３２Ｍのスライド溝３２１Ｍは、同形の溝である点である。図４３に示すように、メイン貼着部材１が脱落される場合、案内部及び被案内部の相対運動により接続ブロック１Ａ４がスライド溝３２１Ｍに連れられて下に滑動され、”被案内部”（すなわち、スライド溝３２１Ｍ）が”案内部”（すなわち、接続ヘッド２Ａ１）により端正な姿勢にされる。他の例では、本実施形態に係るスライド溝３２１Ｍが異形の溝に変更されて実現される。
【０２２４】
第９実施形態のように、本実施形態に係る交換装置は、受け式交換装置に属するのみならず、圧迫‐解放式交換装置にも属し、第９実施形態を参照して説明する。
【０２２５】
また、第９実施形態と相似し、本実施形態は、実施においてバッファ装置が加えられ、例えば、スライド溝３２１Ｍが適切に短縮されることにより、スライド溝３２１Ｍの上部の当接部の上部接続箇所３１２ＭＵと受け部（前ガイドピン３１４２Ｍ）上端の下部接続箇所３１３ＭＤとの間の距離が短縮される。すなわち、上部接続箇所及び下部接続箇所が接近されることにより、支持部１Ｂの下落行程が短くなる。更には、当接部と受け部との間に優良なクッションパッドが設置されることにより、衝撃及び振動の発生が減少され、支持部１Ｂにより支持される外物が脱落しなくなり、安定的で安全な安全機構３Ｍとなる。
【０２２６】
本実施形態の警告装置について、図４１Ａ及び図４１Ｂには、中間の弾性部材（引張バネ）１Ａ７を有し、吸盤ヘッドと接続ロッド１Ａ４２との間に接続され、弾性部材（引張バネ）１Ａ６により吸盤、接続ロッド１Ａ４２、支持フレーム１Ａ５が図４３に示すように折り畳まれる。本実施形態では、メイン貼着部材１は、警告情報表示部材の機能を有する。図４３に示すように、メイン貼着部材１が壁面Ｗから脱離されると共に下に向けて脱落された後、接続部材１Ａ４１（例えば、接続リング）により接続ロッド１Ａ４２の上溝孔１Ａ４２１に沿って下落され、弾性部材１Ａ６の弾性復位力により、メイン貼着部材１が見つけやすい場所に落着される。これは、支持部１Ｂの使用に対して邪魔になる場所である。これにより、警告及び暫定的な使用停止のメッセージがはっきりと伝達され、メイン貼着部材１が壁面Ｗから脱離されたことを使用者が早期に発見でき、回復作業を行える。
【０２２７】
以下は、第９実施形態に示すように、メイン貼着部材１が壁面Ｗに貼着される場合、外物が支持部１Ｂの重力に加えられて、バックアップ貼着部材２を壁面Ｗに向けて圧迫させる力に変換され、メイン貼着部材１が使用中に受力されると、バックアップ貼着部材２が外物の重力を負担しないのみならず、壁面Ｗにきつく圧迫され、未作動状態になる。メイン貼着部材１が脱落された後、バックアップ貼着部材２の使用が開始される。
【０２２８】
本実施形態は、理想化された構造であり、実際の応用では幾つかの構造を減少させても近似する効果を達成できる。例えば、支持用リブ１Ａ５１及び接続部材１Ａ４１が接続されて固定される、或いは、支持用リブ１Ａ５１が接続ヘッド１Ａ１に直接に接続される、もしくは、上溝孔１Ａ４２１がＰ１の位置に位置される円形の軸孔に変更される等である。なお、ある例において、本実施形態の支持フレーム１Ａ５、弾性部材１Ａ６、及び弾性部材１Ａ７が取り除かれる。または、本実施形態に係る支持フレーム１Ａ５、弾性部材１Ａ６、弾性部材１Ａ７、及び接続部１Ａは第９実施形態においても実現される。
【０２２９】
前述の何れか１つの実施形態の例に基づいて、メイン貼着部材１の貼付件部１１及びバックアップ貼着部材２の貼付部２１の内の少なくとも１つが前述の第７実施形態の様式に変更される。
【０２３０】
（第１１実施形態）
図４４乃至図４６は、本発明に係る貼付け式壁面保持構造の第１１実施形態の構造を図示する。本実施形態の図示において、前述の実施形態と同様に、保持構造は、メイン貼着部材１と、バックアップ貼着部材２と、安全機構３Ｍとを備える。メイン貼着部材１は、貼付部１１と、接続部１２と、支持部１Ｂとを含む。バックアップ貼着部材２は、貼付部２１及び台座２２で構成される。安全機構３Ｍはメイン貼着部材１とバックアップ貼着部材２との間に設置される交換装置３１Ｍを備え、バックアップ貼着部材２は長い脱落行程を有する。例えば、図中では上面の貼付部１１は小さな吸盤であり、下面の貼付部２１は大きな吸盤である。脱落行程の定義は、吸盤が壁面に完全に圧着されてから吸盤が脱落される際に、吸盤面の中心点が変位されるまでを指す。
【０２３１】
本実施形態に係る保持構造と前述の実施形態との差異は、安全機構３Ｍの“圧迫‐解放式”交換装置３１Ｍは、メイン貼着部材が壁面に貼着される場合、安全機構の弾性構造の弾性作用力によりバックアップ貼着部材が壁面に圧迫され、正式に作動されない状態になって有効に保たれ、メイン貼着部材が脱落された後にバックアップ貼着部材が解放され、その後に使用が開始されることにより、バックアップ貼着部材は全ての貼着寿命が支持部を単独で支持させるために用いられる点である。前述の弾性構造は、弾性変形部材構成を有する各種の弾性機構を備える。弾性変形部材はメイン貼着部材１の貼付部１１とバックアップ貼着部材２の貼付部２１との間に設置され、前記弾性変形部材はその両端（中心が対称になる両端に制限されず、弾性変形部材の任意の異なる２つの場所に位置されてもよい）に接続される構造体を相互に伸縮または湾曲させる。前記弾性変形部材は、弾性を有するゴムまたはプラスチックの弾性体や接続部材であり、螺旋ばねまたは他のばねでもよく、或いは、弾力を有する伸縮機構或いは／及び湾曲機構でもよい。メイン貼着部材１の貼付部１１及びバックアップ貼着部材２の貼付部２１が共に壁面に貼着される場合、例えば、図４４及び図４５に示すように、前述の弾性変形部材が湾曲或いは／及び伸縮されて弾性により変形され、前記弾性変形の回復力（変形状態から自由状態に回復する力）によりバックアップ貼着部材２の貼付部２１が壁面に向けて圧迫される。
【０２３２】
弾性機構の位置は、３種類ある。（１）メイン貼着部材１の貼付部１１と支持部１Ｂとの間に設けられる。（２）バックアップ貼着部材２の貼付部２１と支持部１Ｂとの間に設けられる。（３）メイン貼着部材１の貼付部１１と支持部１Ｂとの間及びバックアップ貼着部材２の貼付部２１と支持部１Ｂとの間に同時に設けられる。図４４乃至図４６には上述の第（３）の種類の実施形態である。
【０２３３】
本実施形態に係る交換装置３１Ｍは“圧迫‐解放式交換装置”であり、前記装置の作業は、支持部１Ｂを有するメイン貼着部材１が壁面Ｗから脱落される場合、バックアップ貼着部材２に適時交換されて支持部１Ｂの保持を行う。メイン貼着部材１が脱落される場合、交換装置３１Ｍの弾性変形部材はバックアップ貼着部材２の貼付部２１を壁面に向けて圧迫しなくなり、この際にバックアップ貼着部材２の貼付部２１がメイン貼着部材１の貼付部１１に代わって支持部１Ｂの支持を行う。
【０２３４】
図４４及び図４５に示すように、本実施形態に係る“圧迫‐解放式交換装置”は、弾性変形される台座１２０と、接続ロッド１３と、台座２２とを備える。支持部１Ｂは、本来台座２２により壁面に貼着（吸着）されるバックアップ貼着部材２に接続され、但し、メイン貼着部材１が貼着（吸着）される場合、支持部が支持される。メイン貼着部材１が貼着（吸着）される場合、台座１２０、接続ロッド１３、及び台座２２には弾性変形により弾力が発生する。バックアップ貼着部材が壁面に圧迫されて正式に使用されない状態を呈する（上部接続箇所及び下部接続箇所は本来接続されて一体となるが、バックアップ貼着部材は載荷が実行されずに壁面に圧迫される）。メイン貼着部材が脱落された後、バックアップ貼着部材が壁面に圧迫される弾力が失われ、バックアップ貼着部材により支持部１Ｂが支持される状態が回復され、その貼着寿命が使用され始める。このように、バックアップ貼着部材が解放されることにより使用方式がメイン貼着部材による支持作業に戻る。
【０２３５】
図に示すように、支持部１Ｂとバックアップ貼着部材２との間に接続される台座２２は接続ロッド１３に接続され、或いは、支持部１Ｂと台座２２の接続箇所及び接続ロッド１３の接続箇所との間は支持部１Ｂに属する材料が弾性材料に変更される。これにより、メイン貼着部材及びバックアップ貼着部材が各弾性部材を介して接続され、且つメイン貼着部材がこれら前記弾性部材によりバックアップ貼着部材が壁面に圧迫される。また、図中の台座２２が変形しない剛性材料に変更され、台座１２０及び接続ロッド１３の弾性によりバックアップ貼着部材が壁面に圧迫される。
【０２３６】
実施においては、メイン貼着部材がバックアップ貼着部材の上方に位置されるとは限定されず、各貼着部材の数量も制限されない。１つのバックアップ貼着部材が壁面の中間部に貼着（吸着）され、２つまたは複数のメイン貼着部材（対になる台座１２０、接続ロッド１３、押し板１２３等の必要な構造を各々有する）が壁面の前記バックアップ貼着部材の左右の位置や周囲の位置に貼着（吸着）されてもよく、１つのメイン貼着部材が壁面の中間部に位置され、複数のバックアップ貼着部材が周囲に位置されてもよい。
【０２３７】
支持部１Ｂは台座２２に接続される接続箇所１Ｂ１を有し、バックアップ貼着部材の貼付部２１は台座２２に接続される接続箇所２２１を有する。バックアップ貼着部材２が壁面に貼着される場合、メイン貼着部材が壁面に貼着される状態から脱落されるまでの間に、バックアップ貼着部材２はメイン貼着部材の載荷を受けない状態からメイン貼着部材の載荷を受ける状態になる。このため、接続箇所１Ｂ１は異なる位置を有し、受けた後に下向きの重力が増加されるため、接続箇所１Ｂ１は接続箇所２２１に対して、その位置が下降される。弾性変形の部材について、交換装置３１Ｍは支持部１Ｂに接続される受け点３１０Ｍを有する。未接続の場合または接続される場合、交換装置３１Ｍは異なる形状を有し、受け点３１０Ｍは対応されて異なる位置に位置され、２つの動作が制止及び接続される。前述の弾性変形部材の３種類の位置において、先ず第（２）及び（３）の種類の位置でのこの動作を説明する。メイン貼着部材１が脱落される場合、バックアップ貼着部材２に位置される貼付部２１と支持部１Ｂとの間の弾性変形部材は、貼付部１１により引っ張られての拘束を受けず、本来の弾性変形が回復されて前記部材が自由状態になる。続いて、支持部１Ｂから伝達される支持される外物の重力が前記弾性変形部材に加えられて、本来の変形方向とは反対方向の弾性変形が発生する。この際、前記弾性変形部材が変形に対して発生させる抵抗力により支持部１Ｂの下落を制止させ、変形が大きくなると、この制止力も大きくなり、支持部１Ｂの下落が停止されると制止動作が達成される。この際に力の平衡状態が達成され、変形の抵抗力が外物の重力に等しくなり、平衡状態が達成されることにより前述の接続動作が完成される。すなわち、支持部１Ｂが完全にバックアップ貼着部材２の貼付部２１により受け止められて支持される。
【０２３８】
前述の第（１）の種類の位置について前述の制止及び接続の２つの動作を説明する。バックアップ貼着部材２の貼付部２１及び支持部１Ｂが可動できない方式で接続されて、その一部が剛性体と見做される。メイン貼着部材１が脱落される場合、バックアップ貼着部材２に位置される貼付部２１が剛性で支持部１Ｂに接続され、外物の重力を受け、且つメイン貼着部材１の貼付部１１に代わって作業を行う。これにより、交換されることにより制止及び接続の２つの動作も共に完成する。
【０２３９】
前述のように、交換されての制止動作の開始前にメイン貼着部材１が正式に使用される。接続される場合、メイン貼着部材１が脱落されており、バックアップ貼着部材２が正式に作動される。前述の制止及び接続は、連続的な動作であり、理論上前後に分けられるが、実際には一瞬で全て完成する。
【０２４０】
図４４では、保持構造は壁面に貼付されない状態であり、よって、交換装置３１Ｍは垂直形状を呈する。
【０２４１】
図４５では、保持構造は壁面に貼付される状態であり、交換装置３１Ｍは上に向けて湾曲される形状を呈し、交換装置３１Ｍの受け点３１０Ｍはこの際に第一位置に位置される。メイン貼着部材１の貼付部１１は、壁面Ｗでの貼付位置が、バックアップ貼着部材２の貼付部２１の壁面Ｗでの貼付位置より高いため、交換装置３１Ｍが上に向けて湾曲される形状を呈する。また、メイン貼着部材１の台座１２０の長さは交換装置３１Ｍ（バックアップ貼着部材２と見做せる台座）の長さより短く設計されるため、交換装置３１Ｍが上に向けて湾曲される形状に変形される。支持部１Ｂが受ける重力は湾曲される交換装置３１Ｍにより分力され、バックアップ貼着部材２の貼付部２１が壁面Ｗに圧迫される。
【０２４２】
図４６では、メイン貼着部材１の貼付部１１が壁面から脱落され、この際に交換装置３１Ｍが本来の形状を回復させるか、やや下向きに湾曲または傾斜され、交換装置３１Ｍの受け点３１０Ｍはこの場合第一位置より低い第二位置を有する。この際、支持部１Ｂはバックアップ貼着部材２により保持される。
【０２４３】
また、本実施形態では、メイン貼着部材１の接続部１Ａは、台座１２０と、押し板１２３と、ベース部１２３１と、接続ロッド１３とを備える。支持部１Ｂは盤状物や物置棚等であり、図４４において、支持部１Ｂは石鹸置きを例にする。接続ロッド１３は、台座１２０と支持部１Ｂとの間に接続される。押し板１２３は、ベース部１２３１により接続ロッド１３の一端に接続されると共に円盤状を呈し、使用者が押し板１２３を押すとメイン貼着部材１の貼付１１が壁面Ｗに貼付される。しかしながら、接続部１Ａまたは支持部１Ｂが他の形状及び方式で実現されてもよく、その制限はない。
【０２４４】
（第１２実施形態）
図４７乃至図５１は、本発明に係る貼付け式壁面保持構造の第１２実施形態の構造を図示する。第１１実施形態と同様に、本実施形態に係る保持構造は、メイン貼着部材１と、バックアップ貼着部材２と、安全機構３Ｍとを備える。本実施形態に係る保持構造と第１１実施形態との差異は、接続部１Ａの構造にある。
【０２４５】
図４７及び図４８に示すように、図４８は、本実施形態に係る保持構造の断面図である。本実施形態の接続部１Ａは、支持部１Ｂにシャフト（またはヒンジ）式で接続され、且つ警告メッセージを発する機能を兼ね備える。例えば、接続部１Ａは、台座１２０と、押し板１２３と、ベース部１２３１と、接続ロッド１３と、シャフト１３１と、ベアリング１３２と、シャフト支持台１３３とを備える。図４８によれば、メイン貼着部材１は使用が開始されておらず、台座（すなわち、接続部）１２が下向きに引っ張られる力を受けずに変形されていない。図４９は図４７の保持構造が正式に使用を開始される概略図であり、この際、台座（すなわち、接続部）１２は下向きに引っ張られる力を受けて変形される。
【０２４６】
台座（すなわち、接続部）１２から延出されるネック部１２２は接続ロッド１３の孔を貫通させて接続ロッド１３に接続されて固定され、円盤状の押し板１２３のベース部１２３１はネック部１２２に接続され、非常に便利に貼付部１１が壁面Ｗに圧着される。接続ロッド１３の下方にはベアリング１３２が設置され、ベアリング１３２はシャフト１３１に被覆され、シャフト１３１はシャフト支持台１３３により支持部１Ｂ（例えば、石鹸置き）に固定される。支持部１Ｂは、貼付部２１から伸長される台座に更に接続される。前述の伸長される台座は、本実施形態では安全機構３Ｍの交換装置３１Ｍと見做される。図４８乃至図５０を参照すると、貼付部１１及び貼付部２１は右辺の壁面Ｗに貼付され、左に向けて延出される支持部１Ｂが下向きの重力を受けて全保持構造中で反時計回り方向のトルクが生じる。トルクは、貼付部１１に対して壁面から脱離される引張力、及び貼付部２１に対して壁面に向けて圧迫させる圧力をそれぞれ発生させる。
【０２４７】
メイン貼着部材１の貼付部１１が吸着状態にある場合、バックアップ貼着部材２の貼付部２１が壁面Ｗに圧迫される。支持部１Ｂが物品を載荷させず、重力が不足すると、貼付部２１が壁面に完全に貼着されなくなり、貼付部２１の脱落行程が貼付部１１の脱落行程より長くなり、貼付部１１が脱落される場合に、貼付部２１の脱落行程が終わらず、壁面に吸着される。貼付部２１の脱落前には十分長い時間が確保され、使用者がメンテナンスを行うことで、例えば、貼付部１１が壁面に貼付される状態に戻される。
【０２４８】
図５０に示すように、メイン貼着部材１が正式に使用され、貼付部１１は部分的に脱落行程が進んで、壁面から脱離され始める。図５１に示すように、メイン貼着部材１の貼付部１１が壁面から脱落される場合、貼付部１１に接続される接続ロッド１３がシャフト１３１の周りを回転させて、メイン貼着部材１の貼付部１１及び接続部１Ａが支持部１Ｂに脱落される。脱落される部分が支持部１Ｂの納置領域に留め置かれる（例えば、石鹸上）。これにより、使用者は、貼付部１１を起こして再び壁面に圧着させ、全保持構造の脱落行程をリセットさせる。このように、メイン貼着部材１は、警告情報表示部材の機能を有する。
【０２４９】
支持部１Ｂが貼付部１１からバックアップ貼着部材２の貼付部２１により支持されるように変換されると、外に向けて傾斜される現象が発生する。横断面は例えば、弧形の支持部１Ｂが貼付部２１の周りを傾斜されて回転されると、支持部１Ｂ中の物品（例えば、石鹸）が安定的に盤内に放置される。支持部１Ｂの外観はほぼ円弧が下で、開口が上の形態に保持される。但し、支持部１Ｂの実現方式はこれに限定されない。
【０２５０】
使用者が本実施形態に係る保持構造を適切に装設できるように補助するため、保持構造は位置変位機構１４を更に備える（図４８参照）。
【０２５１】
ある実施形態では、位置変位機構１４は壁面に当着される当着部材を有し、当着部材が壁面に向けて圧迫される場合、壁面に平行に変位される。前述の貼付け式壁面保持構造が壁面に貼付される場合、位置変位機構１４は前記当着部材により壁面に向けて圧迫される際に変位されることで、メイン貼着部材１の貼付部１１とバックアップ貼着部材２の貼付部２１との間の距離が広がり、壁面に貼付される。他の実施形態では、位置変位機構１４は、擺動装置を更に備える。擺動装置は、メイン貼着部材１と当着部材との間、またはバックアップ貼着部材２と当着部材との間に接続され、当着部材が壁面に当着されると、擺動されて前述の貼付部の貼着位置が変位される。
【０２５２】
図４８に示すように、位置変位機構１４はメイン貼着部材１とバックアップ貼着部材２との間に設置され、例えば、接続部１２は、延伸されて壁面に接触される。バックアップ貼着部材２の貼付部２１が壁面に貼着されて、メイン貼着部材１の貼付部１１が壁面に貼付される場合、位置変位機構１４は壁面に接触され、これにより、メイン貼着部材１の貼付部１１の位置が高くなって壁面に貼着される。メイン貼着部材１の貼付部１１が壁面に貼着されて、バックアップ貼着部材２の貼付部２１が壁面に貼付される場合、位置変位機構１４が壁面に接触されて、バックアップ貼着部材２の貼付部２１の位置が下に向けて変位されて壁面に貼着される。
【０２５３】
図４８に示すように、ある実施形態では、接続ロッド１３に位置変位機構１４が設置される。位置変位機構１４は例えば、接続ロッド１３から延伸されると共に弾性を有する構造であり、壁面Ｗへの当接に用いられる。使用者が本実施形態に係る保持構造を装設する場合、位置変位機構１４が先ず壁面Ｗに接触され、壁面の傾斜が適切な角度の方向上で壁面に向けて当接される。本実施形態に係る貼付部１１と貼付部２１との間の構造体は、弾性により変形される。例えば、図４６、図４８乃至図５１に示すように、貼付部１１と貼付部２１との間の構造体において、接続部１２及び貼付部２１に接続される伸長される台座（すなわち、交換装置３１Ｍ）は、弾性により変形される。このため、位置変位機構１４が壁面に向けて変位されると、壁面に平行する方向上で適切な変位が発生し、貼付部１１が最終的に壁面に貼着される位置が高い位置に変位される。図４８の状況は、貼付部２１は先ず壁面に貼着され、その後に貼付部１１が右に向けて壁面に圧着されると、二点の破線に示す当接フロントエンド１４１２が先ず壁面に当接され、接続ロッド１３が継続して右に向けて変位されると、突き当て板１４１１がシャフト上で時計回り方向に下に向けて回転され、シャフトが接続ロッド１３と共に、接続部１２が上に向けて推移される（当接表面１４１２１が大きな摩擦力を有するため、下に向けての滑動が阻止される）。 
【０２５４】
他の実施では、図４８の当接本体１４１は水準中心線ＣＬを基準に鏡映されて対称体を呈し、すなわち、突き当て板１４１１の傾斜方向が上向きの傾斜に調整され（図４８には下向きの傾斜を示す）、当接フロントエンド１４１２の当接表面１４１２１も同様に調整されて図４８に示すものとは反対になる。その後、先ず上面のメイン貼着部材１の貼付部１１が貼付され、下面のバックアップ貼着部材２の貼付部２１が圧着され、この際に２つの貼付部の間に位置される位置変位機構１４の当接フロントエンド１４１２が右に向けて延出されるため、壁面に接触される。これにより、前述の変位方式に基づいて、但し、反対方向に変位され、貼付部２１が最終的に壁面に貼着される位置が低い位置に変位される。
【０２５５】
貼付部１１と貼付部２１との間の構造体が弾性により変形され、前述の２つの“変位”は共に、２つの貼付部が壁面に貼着される場合、両者の間の距離が開き、使用される貼着の開始状態になる（図４９参照）。支持部１Ｂの左端が僅かに持ち上げられて上向きに傾斜され、脱落行程が進むと、支持部１Ｂの左端が徐々に低下されて最終的に僅か下向きの傾斜される（図５０及び図５１参照）。このように、全使用過程において、支持部が平均的に水準に近い状態に保持される。
【０２５６】
位置変位機構の作用は、メイン貼着部材１及びバックアップ貼着部材２が壁面に貼付されると両者の間の距離が開く。よって、位置変位機構１４の本体が壁面に向けられる前端は、滑動を防ぐ滑り止め体である。例えば、位置変位機構１４の本体及び接続ロッド１３は接続されて固定され、且つ弾性を有し、前記滑り止め体と壁面との接触箇所には大きい摩擦係数を有する材料が設けられる。例えば、シリコン、ゴム、または前記滑り止め体と壁面とが接触される表面に滑動を阻止させる歯状の突起或いは模様を有する。
【０２５７】
図４８に示す実施形態では、位置変位機構１４は、当接本体１４１と、接続部１４２と、ねじりバネ１４３とを備える。当接本体１４１は突き当て板１４１１及び当接フロントエンド１４１２を含み、ねじりバネ１４３の一端１４３１は湾曲されて接続ロッド１３及び接続部１４２の角箇所に掛合され、ねじりバネ１４３の他端１４３２は湾曲されて突き当て板１４１１に掛合される。これにより、ねじりバネの弾力が回復されて当接本体１４１がシャフトを中心として反時計回り方向に回転を行う。また、突き当て板１４１１の当接フロントエンド１４１２は弧状面を有し、当接本体１４１が壁面に向けて圧迫されて時計回り方向に回転を行うと、壁面上で上に向けて回転を行い、当接本体１４１が上に向けて推移される効果を発生させる。当接フロントエンド１４１２は壁面に向ける滑り止め体を有し、前記滑り止め体と壁面とが接触される表面は当接表面１４１２１であり、シリコンやゴム等の大きな摩擦係数を有する材料で構成される。前記表面は滑動を阻止させる歯状突起または模様を有し、滑動が減少される。接続部１４２は当接本体１４１及び接続ロッド１３への接続に用いられ、接続部１４２は固定方式により接続ロッド１３に接続され、且つシャフト方式により当接本体１４１に接続される。例えば、接続部１４２はベアリングを備え、突き当て板１４１１にはシャフトが付加されて回転方式によりベアリングに接続される。また、接続部１４２は、ベアリングの外縁に設置され、当接本体１４１の位置の制限に用いられるバッフル１４２２を更に含む（ねじりバネ１４３により回転されて反時計回り方向に回転を行う場合、回転が多すぎて位置を超えることがなくなる）。これにより、当接本体１４１、接続部１４２、及びねじりバネ１４３に前述の変位動作が生じる。
【０２５８】
位置変位機構１４により、壁面Ｗの上方に貼付されるメイン貼着部材１の貼付部１１及び壁面Ｗの下方に貼付されるバックアップ貼着部材２の貼付部１２の間の距離が大きく開かれることにより、支持部１Ｂが受ける重力が交換装置３１Ｍを経てメイン貼着部材１の貼付部１１により負担され、バックアップ貼着部材２の貼付部１２により負担されることはない。
【０２５９】
他の実施形態では、位置変位機構は、前述の実施形態または他の変化の実施形態において、共に前述の第１１実施形態または他の実施形態のメイン貼着部材１の接続部１Ａに設置され、相似する作用が生じる。
【０２６０】
位置変位機構の他の実施形態において、位置変位機構がメイン貼着部材に接続されて接続部材本体及び壁面に当着される当着部材を備え、前述の当着部材及び前述の接続部材本体は互いに接続される。メイン貼着部材の貼付部が壁面に貼着されてバックアップ貼着部材の貼付部が壁面に貼付される場合、前述の位置変位機構の当着部材が壁面に当着されることで、バックアップ貼着部材の貼付部位置が下に向けて変位されて壁面に貼着される。他の例において、前述の位置変位機構は擺動装置を更に備え、擺動装置は前記メイン貼着部材（または接続部材本体）と当着部材との間または前記バックアップ貼着部材と前記当着部材との間に接続され、当着部材壁面が当着される場合、擺動されて貼付部が貼着させたい位置に変位される。
【０２６１】
（第１３実施形態）
図５２は、本発明に係る貼付け式壁面保持構造の第１３実施形態の正面図である。図５３は、図５２の保持構造の断面図である。前述の実施形態と同様に、本実施形態に係る保持構造は、メイン貼着部材１と、バックアップ貼着部材２と、安全機構３Ｍとを備える。メイン貼着部材１は、貼付部１１と、接続部１Ａと、支持部１Ｂとを含む。バックアップ貼着部材２は、貼付部２１及び台座２２で構成される。例えば、メイン貼着部材１の貼付部１１及びバックアップ貼着部材２の貼付部２１は、図中では共に従来の吸盤として描かれ、支持部１Ｂは外物を置くための容器として描かれる。しかしながら、本実施形態はこれらに制限されない。
【０２６２】
図５２及び図５３に示すように、メイン貼着部材１の接続部１Ａはヒンジ構造を備え、例えば、少なくとも第一接続部材１ＡＣ１及び第二接続部材１ＡＣ２により前述のヒンジ構造が構成され、支持部１Ｂ及び貼付部１１は接続部１Ａを介して接続される。しかしながら、本実施形態はヒンジ構造に限定されず、接続部は接続可能なあらゆる（支持部１Ｂ及び貼付部１１）構造でよく、例えば、前述の各実施形態で述べるものは、どれもメイン貼着部材１の接続部として用いられるか配置される。
【０２６３】
例えば、図中のメイン貼着部材１の第一接続部材１ＡＣ１の下方にはベアリング１ＡＣ１Ｂが設置されて軸受け孔１ＡＣ１ＢBを有し、第二接続部材１ＡＣ２の上方には前記軸受け孔１ＡＣ１ＢBを貫通させて回転を行う軸１ＡＣ２Ｓが設置される。第二接続部材１ＡＣ２にはストッパー部１ＡＣ２Ｘが接続され、第一接続部材１ＡＣ１はネック部１ＡＣ１１及び下に向けて延出されるラグ１ＡＣ１Ｘを有する。ストッパー部１ＡＣ２Ｘは、図５２及び図５３に示す２箇所の位置の内の１箇所に設置されるか、前記２箇所に共に設置され、ネック部１ＡＣ１１またはラグ１ＡＣ１Ｘを制止させて第一接続部材１ＡＣ１を阻止させる。
【０２６４】
メイン貼着部材１が脱落を開始させる段階では、第二接続部材１ＡＣ２の上部が壁面から離れる方向に変位され始め、軸１ＡＣ２Ｓ以上の第一接続部材１ＡＣ１が壁面方向に擺動されるのを阻止させる（図５３では、軸１ＡＣ２Ｓの周りを時計回り方向に回転）。すなわち、軸１ＡＣ２Ｓ以下の第二接続部材１ＡＣ２がトグル軸１ＡＣ２Ｓ以上の第一接続部材１ＡＣ１を壁面から離れる方向に変位させる。これにより、第二接続部材１ＡＣ２及び支持部１Ｂが壁面から脱離される力（支持部により支持される外物からの力）がストッパー部１ＡＣ２Ｘ、ネック部１ＡＣ１１、またはラグ１ＡＣ１Ｘを経て第一接続部材１ＡＣ１に伝達されて、メイン貼着部材１の貼付部１１により負担される。
【０２６５】
また、図５３に示すように、第二接続部材１ＡＣ２の下面から延伸されて壁面に接触される摩擦部材１Ｃが設置される。メイン貼着部材１は貼付部１１の上方が壁面に貼着されて固定されることにより（図５３参照）、支持部１Ｂが壁面から外に向けて延出される。このため、支持部１Ｂの下向きの重力が摩擦部材１Ｃを壁面に向けて圧迫させ、摩擦部材１Ｃ及び壁面に下向きの重力とは反対の摩擦力が生じることにより、摩擦部材１Ｃに互いに接続される構造全体が下に向けて脱落されるのが阻止される。
【０２６６】
ある実施例において、摩擦部材１Ｃと壁面とが接触される箇所の材質が適切に選択される（例えば、シリコン、ゴム、ＰＵ等の摩擦係数が大きい材質）。且つ、支持部１Ｂにより外物が載荷される場合に予測される受力中心位置から壁面までの横方向の距離ｄ１、摩擦部材１Ｃの中心からメイン貼着部材１の貼着中心（例えば、貼付部１１の貼着中心）までの距離ｄ２、及び支持部１Ｂの最大外縁から壁面までの距離ｄａは０．２≦ｄ１／ｄ２≦３の関係式を満たすように設定され、ｄ１≦ｄａである。図５３の例によると、ｄ１はｄａに相当し、よって、全支持体が優良な支持効果を達成させ、支持部１Ｂが受ける大部分の重力は摩擦部材１Ｃにより負担され、メイン貼着部材１の貼付部１１は極一部分の力のみ負担させる。しかしながら、本実施形態の実現方式はこれらに制限されない。例えば、摩擦部材１Ｃの本体には摩擦パッド１ＣＦが設置されると共に、上述の実施形態で提供する材質が採用されて摩擦部材１Ｃが実現されてもよい。或いは、摩擦部材１Ｃ全体には上述の材質が使用されてもよい。
【０２６７】
さらに、メイン貼着部材１はバックアップ貼着部材２に直接接続され、弾性を有する弾性部材により互いに接続される。ある実施例において、メイン貼着部材１は、伸縮可能な弾性部材によりバックアップ貼着部材２に互いに接続される。例えば、図５３に示すように、接続部１Ａの第一接続部材１ＡＣ１は、バックアップ貼着部材２の台座２２及び弾性部材２２Ｅによりバックアップ貼着部材２の貼付部２１に接続される。例えば、台座２２は柱状であり、且つその一端が貼付部２１に設置される。台座２２は、第二接続部材１ＡＣ２の壁面を貫通させるスルーホール１ＡＣ２Ｈが更に配置され、且つ台座２２の他端はスルーホールより大きい台尻を有することでスルーホールから脱離されるのを防ぐ。これにより、弾性部材２２Ｅの弾力によりバックアップ貼着部材２が壁面に向けて圧迫され、メイン貼着部材１の貼付部１１が壁面に貼着される場合、バックアップ貼着部材２は壁面に圧迫されるために正式な作動状態にならない。メイン貼着部材１の貼付部１１が脱落された後、バックアップ貼着部材２が圧迫から解放され、バックアップ貼着部材２がメイン貼着部材１に代わって支持を行う。しかしながら、本実施形態の実現方式はこれらの例に制限されない。
【０２６８】
図５２及び図５３に示すように、本実施形態に係る安全機構３Ｍの交換装置３１Ｍは“圧迫‐解放式交換装置”であり、台座２２及び弾性部材２２Ｅを少なくとも備える。このため、前述の他の実施形態と同様に、交換装置３１Ｍがメイン貼着部材１とバックアップ貼着部材２との間に設置され、メイン貼着部材１が壁面から脱離されて下に向けて脱落される場合、バックアップ貼着部材２は交換装置３１Ｍによりメイン貼着部材１が下に向けて脱落されるのを制止させると共に、バックアップ貼着部材２に適時交換されて支持部１Ｂの保持を行う。
【０２６９】
（他の実施形態）
なお、ある実施形態では、バックアップ貼着部材２の貼付部の貼着寿命がメイン貼着部材１の貼付部の貼着寿命より長くなる各種の貼付け式壁面保持構造は、全て本発明の実施形態に含まれる。貼着寿命の定義は、同等の負荷の下、貼着が開始されてから脱落されるまでの時間の長さをいう。よって貼着寿命の要求に基づいてメイン貼着部材及びバックアップ貼着部材の貼付部の材料または特性等、例えば、吸盤の大きさ、吸盤の凹みの大きさ、或いはシールの粘性の強弱、フィルムの厚さ等を様々に変化させて設計することによって、メイン貼着部材が脱落される場合でも、バックアップ貼着部材は脱落されずに、メイン貼着部材の支持部またはメイン貼着部材により支持される外物をバックアップ貼着部材が代わりに支持させる。
【０２７０】
また、前述の各実施形態において、貼付部の貼着寿命の条件を変更し、例えば、（１）構造上の条件は、貼付部の面積、或いは（２）材料上の条件は、貼付部が吸盤方式、シール方式製造、または他の組み合わせで製造される等を変更してもよい。例えば、バックアップ貼着部材２の貼付部の面積及びメイン貼着部材１の貼付部の面積が、様々に異なる大きさで配置されてもよい。ある例において、前述の各実施形態に係るバックアップ貼着部材の貼付部の面積がメイン貼着部材の貼付部の面積より大きく、よって、バックアップ貼着部材の貼付部の貼着寿命がメイン貼着部材の貼付部の貼着寿命より長くなる。
【０２７１】
本発明の上述の実施形態は例示にすぎない。他の実施形態では異なる形態及び部材の配置が用いられ、異なる方式で上述の機能や構造が実現されてもよい。ゆえに、メイン貼着部材と、バックアップ貼着部材と、安全機構とを備える保持構造を実現できるあらゆる実施方式が本発明の実施形態の範疇に含まれる。メイン貼着部材は、外物の支持に用いられる支持部及び壁面への貼付に用いられる貼付部を備える。バックアップ貼着部材は、壁面への貼付に用いられる貼付部、及び前記メイン貼着部材と前記バックアップ貼着部材との間に設置される交換装置からなる安全機構を含む。前記メイン貼着部材及び前記バックアップ貼着部材が壁面の近接される位置に貼着され、前記メイン貼着部材が壁面から脱離されて下に向けて脱落される場合、前記バックアップ貼着部材は前記交換装置により前記メイン貼着部材が下に向けて脱落されるのを制止させると共に、前記バックアップ貼着部材に適時交換されて前記保持部の保持を行う。
【０２７２】
また、掲示される全ての特徴は同じ、同等の効果、または類似の目的に用いられる。よって、掲示される各特徴は、同等の効果または類似する特徴の上位概念から派生した例にすぎない。
【０２７３】
総合すると、本発明の内容は上述の実施形態で例を挙げて説明しているが、しかしながら、本発明はこれらの実施方式に限定されない。本発明の属する技術分野で通常知識を有する者ならば、本発明の精神及び範囲を逸脱せずに、各種の変更や修飾を加えることができる。例えば、前述の実施形態に例示する各技術内容に組み合わせや変更を加えて新しい実施方式とすることができ、これらの実施方式も当然ながら本発明の内容に属する。よって、本案の保護範囲には、前述の権利要求及びこれにより画定する範囲も含まれる。以上の掲示する実施形態は本発明の例示にすぎず、本発明の精神及び範囲に基づいた改修及び均等な設置も、権利要求の範囲に含まれる。
【符号の説明】
【０２７４】
１  メイン貼着部材
１０  支持部
１１  貼付部
１２  接続部
１２１  接続ロッド
１２１１  シャフト
１２１２  ベアリング
１２１３  ストッパー
２  バックアップ貼着部材
２１  貼付部
２２  接続部
２３  箱
３  交換装置
３１  当接部
３１１  第一接続箇所
３１３  制止板
３２  受け部
３２１  第二接続箇所
３３  接続部材
３３１  第一接続箇所
３３２  第二接続箇所（箱カバーのシャフト）
３３  接続部材
３３Ａ  接続バー
３３Ａ１  リング状部
３３Ｂ  箱カバー
３３Ｂ  箱カバー
３３Ｂ１  リング
３４  収容溝
４  案内装置
４１  案内壁
４２  案内収納位置
４３  案内面
４４  （Ｔ型）スライダー
４５  （Ｔ型）滑動溝
５  バッファ装置
５１  クッションパッド
５２  ダンプ装置
５３  摩擦部材
６  警告装置
６０  警告情報
６１  警告情報表示部材
６２  バランスウェイトレバー
Ｗ  壁面
ｐ  メイン貼付物位置
１Ａ  接続部
１Ｂ  支持部
１２  台座
１２２  ネック部
１２３  押し板
１２３１  ベース部
１３  接続ロッド
１３１  シャフト
１３２  ベアリング
１３３  シャフト支持台
１Ａ１  接続ヘッド
１Ａ１１  接続ネック部
１Ａ１２  接続軸穴
１Ａ４１  接続部材
１Ａ４２  接続ロッド
１Ａ３１  押出パッド
１Ａ３１１  末尾部
１Ａ３１３  ルート部
１Ａ４  接続ブロック
１Ａ４２  接続ロッド
１Ａ４２１  上溝孔
１Ａ４２２  短軸
１Ａ４２３  短軸孔
１Ａ４３  平らな溝
１Ａ５  支持フレーム
１Ａ５１  支持用リブ
１Ａ５２  支持レール
１Ａ５３  支持パッド
１Ａ６  弾性部材（引張バネ）
１Ａ７  弾性部材（引張バネ）
２２  接続部
２Ａ  接続部
２Ａ１  接続ヘッド
２Ａ３１  押出パッド
２Ａ３１１  末尾部
２Ａ３１３  ルート部
３Ｍ  安全機構
３１０Ｍ  受け点
３１Ｍ  交換装置
３１２Ｍ  当接部
３１２ＭＰ  上部接続箇所
３１３Ｍ  受け部
３１３ＭＰ  下部接続箇所
３２Ｍ  案内装置
３２１Ｍ  スライド溝
３２１１Ｍ  ヘッド
３２１２Ｍ  テール部
３２２Ｍ  案内面
３２３Ｍ  活動室
３１４Ｍ  伸縮構造
３１４１Ｍ  ガイドレール
３１４１１Ｍ  ガイドレール下端
３１４１２Ｍ  ガイドレール上端
３１４２Ｍ  前ガイドピン
３１４３Ｍ  後部補助ピン
１４  位置変位機構
１４１  当接本体  
１４２  接続部
１４３  ねじりバネ
１４１１  突き当て板
１４１２  当接フロントエンド
１４１２１  当接表面
１４２２  バッフル
１４３１  ねじりバネ１４３の一端
１４３２  ねじりバネ１４３の他端
１ＡＣ１  第一接続部材
１ＡＣ１１  ネック部
１ＡＣ１Ｂ  ベアリング
１ＡＣ１ＢＢ  軸受け孔
１ＡＣ１Ｘ  ラグ
１ＡＣ２  第二接続部材
１ＡＣ２Ｓ  軸
１ＡＣ２Ｘ  ストッパー部
１ＡＣ２Ｈ  スルーホール
１Ｃ  摩擦部材
１ＣＦ  摩擦パッド
２２Ｅ  引張バネ
【図１】
0006445044.tif 000002
【図２】
0006445044.tif 000003
【図３】
0006445044.tif 000004
【図４】
0006445044.tif 000005
【図５】
0006445044.tif 000006
【図６】
0006445044.tif 000007
【図７】
0006445044.tif 000008
【図８】
0006445044.tif 000009
【図９】
0006445044.tif 000010
【図１０】
0006445044.tif 000011
【図１１】
0006445044.tif 000012
【図１２】
0006445044.tif 000013
【図１３】
0006445044.tif 000014
【図１４】
0006445044.tif 000015
【図１５】
0006445044.tif 000016
【図１６】
0006445044.tif 000017
【図１７】
0006445044.tif 000018
【図１８】
0006445044.tif 000019
【図１９】
0006445044.tif 000020
【図２０】
0006445044.tif 000021
【図２１】
0006445044.tif 000022
【図２２】
0006445044.tif 000023
【図２３】
0006445044.tif 000024
【図２４】
0006445044.tif 000025
【図２５】
0006445044.tif 000026
【図２６】
0006445044.tif 000027
【図２７】
0006445044.tif 000028
【図２８】
0006445044.tif 000029
【図２９】
0006445044.tif 000030
【図３０】
0006445044.tif 000031
【図３１】
0006445044.tif 000032
【図３２】
0006445044.tif 000033
【図３３】
0006445044.tif 000034
【図３４】
0006445044.tif 000035
【図３５】
0006445044.tif 000036
【図３６】
0006445044.tif 000037
【図３７】
0006445044.tif 000038
【図３８】
0006445044.tif 000039
【図３９】
0006445044.tif 000040
【図４０】
0006445044.tif 000041
【図４１Ａ】
0006445044.tif 000042
【図４１Ｂ】
0006445044.tif 000043
【図４２】
0006445044.tif 000044
【図４３】
0006445044.tif 000045
【図４４】
0006445044.tif 000046
【図４５】
0006445044.tif 000047
【図４６】
0006445044.tif 000048
【図４７】
0006445044.tif 000049
【図４８】
0006445044.tif 000050
【図４９】
0006445044.tif 000051
【図５０】
0006445044.tif 000052
【図５１】
0006445044.tif 000053
【図５２】
0006445044.tif 000054
【図５３】
0006445044.tif 000055